(57)【特許請求の範囲】
【請求項１】
遊技機に併設される遊技用装置であって、
第１の筐体と、
遊技機から払い出された遊技媒体を投入する投入部と、
前記投入部に投入された前記遊技媒体を、前記遊技機に併設された遊技媒体貸出装置に設けられた計数部に導くための計数用通路と、
前記遊技媒体貸出装置から払い出された、前記遊技機から払出し可能な所定数の遊技媒体数に満たない端数分の遊技媒体を、遊技者に払い出すための端数用通路と、
前記第１の筐体を、前記遊技媒体貸出装置に対して着脱可能とする着脱部と、
前記着脱部により前記第１の筐体が前記遊技媒体貸出装置に対して装着された装着状態を保持するためのロック機構部と、
前記装着状態が前記ロック機構部によってロックされた状態において、前記計数用通路における遊技媒体の通過を許容すると共に、前記装着状態がロック解除された状態において、前記計数用通路における遊技媒体の通過を阻止する第１の阻止部と、
前記装着状態が前記ロック機構部によってロックされた状態において、前記端数用通路における前記遊技媒体の通過を許容すると共に、前記装着状態がロック解除された状態において、前記端数用通路における遊技媒体の通過を阻止する第２の阻止部と、
第２の筺体と、
前記遊技機に併設され、前記遊技機において払い出された遊技媒体を前記第２の筺体の内部に取り込んで計数する前記計数部と、
前記計数部により計数された遊技媒体を前記第２の筺体の外部に排出する排出部と、
前記遊技機から払出し可能な所定数の球数に満たない端数分の遊技媒体を遊技者に払い出す端数払出部と、
前記端数分として払い出すための遊技媒体を前記第２の筺体の外部から前記端数払出部に供給する供給部と、を有し、
前記計数部と前記端数払出部とは、互いに分離可能に構成されている前記遊技媒体貸出装置を備えることを特徴とする遊技用装置。
【請求項２】
前記ロック機構部は、
前記ロック解除状態において、前記遊技媒体貸出装置側に設けられた被係止部を避ける位置に移動すると共に、前記ロック状態において、前記被係止部を係止する位置に移動する係止部を備え、
前記ロック解除状態において、前記第１の筐体をスライド移動させることにより、前記遊技媒体貸出装置に対して装脱可能とすることを特徴とする請求項１に記載の遊技用装置。
【請求項３】
前記ロック機構部は、
前記遊技媒体貸出装置側に設けられた前記被係止部に対して、所定の回動軸を回動中心とした回動により一端側の前記係止部が係合する回動部材と、
前記装着状態を前記ロック状態とするロック操作又は前記装着状態を前記ロック解除状態とするロック解除操作に応じて、前記回動部材を回動させる回動機構部とを有し、
前記回動部材の前記一端側に対して前記回動軸を挟んで対向する他端側には前記第１の阻止部が設けられ、
前記第１の筐体の前記端数用通路の入口から前記第２の阻止部までの距離は、遊技媒体の複数個分に設定され、
前記第１の筐体は、
前記ロック操作又は前記ロック解除操作に伴って、前記回動部材及び前記第２の阻止部を連動して動作させるリンク機構部を備え、
前記ロック解除操作に伴う前記回動部材のロック解除方向への回動に応じて前記第１の阻止部が前記計数用通路に入り込むことで前記計数用通路における遊技媒体の通過を阻止し、
前記ロック解除操作に伴って前記第２の阻止部が前記端数用通路に入り込むことで前記端数用通路における遊技媒体の通過を阻止することを特徴とする請求項２に記載の遊技用装置。
【請求項４】
前記供給部は、
前記端数分として払い出すための遊技媒体を前記第２の筺体の外部から導入するための前記第２の筺体に設けられた開口部と、
前記開口部を開閉する第１のシャッタと、
前記端数分として払い出すための遊技媒体を前記第２の筺体の外部から前記第２の筺体へ導入する導入路の先端に設けられた係合部を前記開口部に装着するための装着機構部と、
前記第１のシャッタ及び前記導入路を開閉する第２のシャッタを、前記係合部の前記開口部への装脱に応動して開閉させる開閉機構部と、
を備えることを特徴とする請求項１〜３のいずれかに記載の遊技用装置。
【請求項５】
前記開閉機構部は、第１機構部及び第２機構部を備え、
前記第２機構部は、
前記第２のシャッタを有し、第２の付勢手段により前記第２のシャッタが前記導入路を閉じる方向に付勢された第２の回動アームと、
前記係合部の前記開口部への装着に応じて、前記筺体によって押されて移動するプッシュレバーと、
を備え、前記プッシュレバーの移動に伴って、前記第２の回動アームを前記第２の付勢手段の付勢力に抗して回動させ、当該回動動作に応じて、前記第２のシャッタを開き、
前記第１機構部は、
前記第１のシャッタを有し、第１の付勢手段により前記第１のシャッタが前記開口部を閉じる方向に付勢された第１の回動アームと、
前記係合部に設けられ、前記係合部の前記開口部への装着に応じて、前記第１の回動アームを前記第１の付勢手段の付勢力に抗して回動させ、当該回動動作に応じて、前記第１のシャッタを開くガイド突起部と、を備えることを特徴とする請求項４に記載の遊技用装置。
【請求項６】
前記装着状態をロック解除するロック解除操作に伴って、前記遊技媒体貸出装置側の前記端数分の遊技媒体を払い出すための端数分払出用開口部を遮蔽し、前記装着状態をロックする前記ロック操作に伴って、前記端数分払出用開口部を開放する遮蔽機構部を備えることを特徴とする請求項１〜５のいずれかに記載の遊技用装置。
【発明の詳細な説明】
【技術分野】
【０００１】
本発明は、パチンコ機などの遊技機において払い出されたパチンコ球を遊技媒体貸出装置の計数部へ流下させる計数用通路を有すると共に、遊技媒体貸出装置から払い出された端数の遊技媒体を遊技者に払い出す専用の端数用払出部（貯留する専用の貯留部）を有する遊技用装置に関する。
【背景技術】
【０００２】
従来、パチンコ機などの遊技機を設置した遊技ホールにおいては、遊技媒体であるパチンコ球などを貸し出すサンドと呼ばれる遊技媒体貸出装置が遊技機に併設されている。遊技者は、これらの遊技媒体貸出装置を利用して遊技媒体を借り遊技を行っている（特許文献１参照）。
【０００３】
パチンコ機に併設された遊技媒体貸出装置においては、現金を投入する現金投入部が設けられており、この現金投入部から投入された現金に応じた数のパチンコ球を遊技者に貸し出すようになっている。
【０００４】
また、遊技媒体貸出装置は、プリペイドカードといった、情報を記録することができる情報カードから残額データなどを読み取って、その残額データに応じた数のパチンコ球を貸し出すようになっている。
【先行技術文献】
【特許文献】
【０００５】
【特許文献１】特開２０１０−２２０９６９
【発明の概要】
【発明が解決しようとする課題】
【０００６】
ところで、従来のサンドにおいては、パチンコ機から賞球として払い出されたパチンコ球を計数し、計数結果を情報カードに記録したり、計数結果の一部をパチンコ球として遊技者に払い出したりする計数機能を備えたものがある。
【０００７】
この計数機能は、パチンコ機の下皿から排出されたパチンコ球を計数し、計数された球数を、遊技者の持ち球として情報カードに記憶する機能である。遊技者は、所定の操作を行うことにより、情報カードに記憶された持ち球数を所定数単位で遊技に使用できるようになっており、指定された数のパチンコ球は、サンドからの指示によって、パチンコ機からその上皿に払い出される。
【０００８】
しかしながら、サンドは、その本来の機能が球貸し機能であり、所定金額単位の球数を貸し出すものであるため、サンドからの指示によってパチンコ機から払い出されるパチンコ球の数の単位が決められている。
【０００９】
従って、遊技者が情報カードに記憶された持ち球を使用する場合、サンドの機能によって決まる所定数単位（例えば２５球）でしかこれを使用することができない。この点について従来では、計数装置によって計数された持ち球数や、記憶媒体に記憶されている球数が所定数（例えば２５球）で割り切れない数である場合を考慮し、割り切れない端数のパチンコ球を遊技者が利用できるようにするため、パチンコ機を介さずに、サンドから直接遊技者に払い出すようにしている。
【００１０】
このようなサンドから直接払い出された端数のパチンコ球を貯留する端数用の返却口や、パチンコ機の下皿から払い出されたパチンコ球をサンドの計数部へ流下させるための専用の計数用通路を備えた遊技用装置（連結ボックス）が考えられている（特許文献１参照）。
【００１１】
かかる遊技用装置（連結ボックス）は、サンドが併設された各パチンコ機の下皿の下方に配置され、下皿から払い出されたパチンコ球を投入部から受け入れ、サンドの計数部へ計数用通路を介して導く。サンドの計数部では、遊技用装置（連結ボックス）の計数用通路を介して導入されたパチンコ球を計数する。
【００１２】
また、遊技用装置（連結ボックス）には、サンドから払い出された端数のパチンコ球を返却するための専用の返却口が設けられている。遊技用装置（連結ボックス）では、端数用に設けられた専用の端数用通路を介して端数のパチンコ球を端数用の返却口へ導く。遊技者は、この端数用の返却口から払い出されるパチンコ球を、パチンコ機の上皿に所定数単位で払い出されるパチンコ球に加えて、パチンコ遊技に用いることができる。
【００１３】
ところで、かかる構成の遊技用装置（連結ボックス）では、計数用通路の一部を遮蔽する開閉シャッタが設けられており、遊技者がこの開閉シャッタを操作して通路を開けることにより、パチンコ機の下皿から遊技用装置（連結ボックス）の投入部に投入されたパチンコ球をサンド（計数部）へ流下させるようになっている。
【００１４】
このような構成では、遊技者がパチンコ球を計数するごとに開閉シャッタを操作するという煩わしさがあった。
【００１５】
また、遊技用装置（連結ボックス）をサンドに対して簡単に着脱可能な構成とすることができれば、設置、保守及び点検等において有利になると考えられる。
【００１６】
そこで、本発明の目的は、遊技機から払い出された計数用の遊技媒体を遊技者の煩わしい操作を伴わずに遊技媒体貸出装置の計数部に導くと共に、遊技媒体貸出装置に対して、容易に着脱可能とすることができる遊技用装置を提供することである。
【課題を解決するための手段】
【００１７】
本発明は、以下のような遊技用装置を提供する。
本発明の遊技用装置は、遊技機に併設される遊技用装置であって、第１の筐体と、遊技機から払い出された遊技媒体を投入する投入部と、前記投入部に投入された前記遊技媒体を、前記遊技機に併設された遊技媒体貸出装置に設けられた計数部に導くための計数用通路と、前記遊技媒体貸出装置から払い出された、前記遊技機から払出し可能な所定数の遊技媒体数に満たない端数分の遊技媒体を、遊技者に払い出すための端数用通路と、前記第１の筐体を、前記遊技媒体貸出装置に対して着脱可能とする着脱部と、前記着脱部により前記第１の筐体が前記遊技媒体貸出装置に対して装着された装着状態を保持するためのロック機構部と、前記装着状態が前記ロック機構部によってロックされた状態において、前記計数用通路における遊技媒体の通過を許容すると共に、前記装着状態がロック解除された状態において、前記計数用通路における遊技媒体の通過を阻止する第１の阻止部と、前記装着状態が前記ロック機構部によってロックされた状態において、前記端数用通路における前記遊技媒体の通過を許容すると共に、前記装着状態がロック解除された状態において、前記端数用通路における遊技媒体の通過を阻止する第２の阻止部と、第２の筺体と、前記遊技機に併設され、前記遊技機において払い出された遊技媒体を前記第２の筺体の内部に取り込んで計数する前記計数部と、前記計数部により計数された遊技媒体を前記第２の筺体の外部に排出する排出部と、前記遊技機から払出し可能な所定数の球数に満たない端数分の遊技媒体を遊技者に払い出す端数払出部と、前記端数分として払い出すための遊技媒体を前記第２の筺体の外部から前記端数払出部に供給する供給部と、を有し、前記計数部と前記端数払出部とは、互いに分離可能に構成されている前記遊技媒体貸出装置を備えることを特徴としている。
【００１８】
この遊技用装置においては、第１の阻止部及び第２の阻止部をロック操作又はロック解除操作に連動させる構成としたことにより、簡単な操作によって、計数用通路側に残っている遊技媒体の落下を防止することができる。また、第２の筐体の外部から端数用の遊技媒体を取り込むことにより、端数分の遊技媒体が不足することを未然に防止することができる。さらには、計数部と端数払出部とが分離可能に構成されていることにより、例えば計数部だけを取り出してメンテナンスを容易に行うことができる。
【００１９】
なお、計数用通路の底面部には、遊技媒体が通過するためのリブ状の突起部を遊技媒体の通過方向に亘って設け、この突起部の上を遊技媒体が通過するようにしてもよい。このようにすれば、計数用通路の底面が遊技媒体の通過に伴って凹んでいくことを防止することができる。また、突起部は、交換可能とすることが望ましい。これにより、突起部（リブ）を交換することで、突起部（リブ）についても、凹みのない状態を保つことができる。
【００２０】
また本発明は、前記構成に加えて、前記ロック機構部は、前記ロック解除状態において、前記遊技媒体貸出装置側に設けられた被係止部を避ける位置に移動すると共に、前記ロック状態において、前記被係止部を係止する位置に移動する係止部を備え、前記ロック解除状態において、前記筐体をスライド移動させることにより、前記遊技媒体貸出装置に対して装脱可能とすることを特徴としている。
【００２１】
この遊技用装置においては、遊技媒体貸出装置に対して、第１の筐体を平行移動させるだけでこれを遊技媒体貸出装置に装着し、ロックすることができる。このように平行移動によって装着することができることにより、例えば、第１の筐体を設置するためのスペースの上下方向に余裕がない場合であっても、第１の筐体を傾けることなく、これを遊技媒体貸出装置に装着することができる。第１の筐体には、計数用通路や、端数用通路といった遊技媒体が留まる部位が設けられていることにより、この部位に残っている遊技媒体が、第１の筐体から零れ落ちることを防止することができる。
【００２２】
また本発明は、前記構成に加えて、前記ロック機構部は、前記遊技媒体貸出装置側に設けられた前記被係止部に対して、所定の回動軸を回動中心とした回動により一端側の前記係止部が係合する回動部材と、前記装着状態を前記ロック状態とするロック操作又は前記装着状態を前記ロック解除状態とするロック解除操作に応じて、前記回動部材を回動させる回動機構部とを有し、前記回動部材の前記一端側に対して前記回動軸を挟んで対向する他端側には前記第１の阻止部が設けられ、前記第１の筐体の前記端数用通路の入口から前記第２の阻止部までの距離は、遊技媒体の複数個分に設定され、前記第１の筐体は、前記ロック操作又は前記ロック解除操作に伴って、前記回動部材及び前記第２の阻止部を連動して動作させるリンク機構部を備え、前記ロック解除操作に伴う前記回動部材のロック解除方向への回動に応じて前記第１の阻止部が前記計数用通路に入り込むことで前記計数用通路における遊技媒体の通過を阻止し、前記ロック解除操作に伴って前記第２の阻止部が前記端数用通路に入り込むことで前記端数用通路における遊技媒体の通過を阻止することを特徴としている。
【００２３】
この遊技用装置においては、第１の阻止部及び第２の阻止部を、前記第１の筐体を前記遊技媒体貸出装置にロックするための機構の一部に設けるようにしたことにより、第１の阻止部及び第２の阻止部を全く別体に設ける構成に比べて、部品点数を削減することができる。
【００２４】
また、端数用通路の入り口から第２の阻止部までの距離を、遊技媒体の大きさの複数分に設定したことにより、この間に複数個の遊技媒体を保持することができる。これにより、ロック解除時に遊技媒体貸出装置の端数分払出用開口部側に残っている遊技媒体を、当該端数用通路の入り口から第２の阻止部までの間に留めさせることができ、第１の筐体を遊技媒体貸出装置から取り外した際に、これらの遊技媒体が落下することを抑制することができる。
【００２５】
また本発明は、前記構成に加えて、第２の筺体と、前記遊技機に併設され、前記遊技機において払い出された遊技媒体を前記第２の筺体の内部に取り込んで計数する前記計数部と、前記計数部により計数された遊技媒体を前記第２の筺体の外部に排出する排出部と、前記遊技機から払出し可能な所定数の球数に満たない端数分の遊技媒体を遊技者に払い出す端数払出部と、前記端数分として払い出すための遊技媒体を前記第２の筺体の外部から前記端数払出部に供給する供給部と、を有し、前記計数部と前記端数払出部とは、互いに分離可能に構成されている前記遊技媒体貸出装置を備えることを特徴としている。
【００２６】
この遊技用装置においては、第２の筐体の外部から端数用の遊技媒体を取り込むことにより、端数分の遊技媒体が不足することを未然に防止することができる。また、計数部と端数払出部とが分離可能に構成されていることにより、例えば計数部だけを取り出してメンテナンスを容易に行うことができる。
【００２７】
また本発明は、前記構成に加えて、前記供給部は、前記端数分として払い出すための遊技媒体を前記第２の筺体の外部から導入するための前記第２の筺体に設けられた開口部と、前記開口部を開閉する第１のシャッタと、前記端数分として払い出すための遊技媒体を前記第２の筺体の外部から前記第２の筺体へ導入する導入路の先端に設けられた係合部を前記開口部に装着するための装着機構部と、前記第１のシャッタ及び前記導入路を開閉する第２のシャッタを、前記係合部の前記開口部への装脱に応動して開閉させる開閉機構部と、を備えることを特徴としている。
【００２８】
この遊技用装置においては、端数分の遊技媒体を外部から供給する導入路を装着する動作に応動して、第１及び第２のシャッタを開閉動作させることにより、導入路が取り外されている場合には、第２の筐体の開口部の第１のシャッタが閉じられて当該開口部から端数用の遊技媒体がこぼれ落ちることを防止することができると共に、導入路の第２のシャッタが閉じられて導入路の先端から、端数用として供給される遊技媒体がこぼれ落ちることを防止することができる。また、導入路を筐体に装着した場合には、第１及び第２のシャッタが開かれることにより、導入路から端数用の遊技媒体を第２の筐体内部の端数払出部へ供給することができる。
【００２９】
また本発明は、前記構成に加えて、前記開閉機構部は、第１機構部及び第２機構部を備え、前記第２機構部は、前記第２のシャッタを有し、第２の付勢手段により前記第２のシャッタが前記導入路を閉じる方向に付勢された第２の回動アームと、前記係合部の前記開口部への装着に応じて、前記筺体によって押されて移動するプッシュレバーと、を備え、前記プッシュレバーの移動に伴って、前記第２の回動アームを前記第２の付勢手段の付勢力に抗して回動させ、当該回動動作に応じて、前記第２のシャッタを開き、前記第１機構部は、前記第１のシャッタを有し、第１の付勢手段により前記第１のシャッタが前記開口部を閉じる方向に付勢された第１の回動アームと、前記係合部に設けられ、前記係合部の前記開口部への装着に応じて、前記第１の回動アームを前記第１の付勢手段の付勢力に抗して回動させ、当該回動動作に応じて、前記第１のシャッタを開くガイド突起部と、を備えることを特徴としている。
【００３０】
この遊技用装置においては、導入路の先端に設けられた係合部を、第２の筺体側の開口部に装着する操作に応じて、導入路側の第２のシャッタと、開口部側の第１のシャッタとが開く。このように、係合部を装着するといった一回の操作によって、第１及び第２のシャッタを一度に開くことができることにより、各々のシャッタを個別に開く操作が不要となる。
【００３１】
また本発明は、前記構成に加えて、前記装着状態をロック解除するロック解除操作に伴って、前記遊技媒体貸出装置側の前記端数分の遊技媒体を払い出すための端数分払出用開口部を遮蔽し、前記装着状態をロックする前記ロック操作に伴って、前記端数分払出用開口部を開放する遮蔽部を備えることを特徴としている。
【００３２】
この遊技用装置においては、ロック解除操作に伴って遊技媒体貸出装置側の端数分払出用開口部を遮蔽することにより、第１の筐体を遊技媒体貸出装置から取り外す際に、遊技媒体貸出装置側に残っている遊技媒体の落下を防止することができる。
【発明の効果】
【００３３】
本発明によれば、遊技機から払い出された計数用の遊技媒体を遊技者の煩わしい操作を伴わずに遊技媒体貸出装置の計数部に導くと共に、遊技媒体貸出装置に対して、容易に着脱可能とすることができる遊技用装置を提供することができる。
【図面の簡単な説明】
【００３４】
【図１】本発明による遊技媒体貸出装置（サンド）を併設したパチンコ機を示す正面図である。
【図２】サンドを示す斜視図である。
【図３】案内装置を装着したサンドを示す斜視図である。
【図４】サンドの内部構成を示す斜視図である。
【図５】サンドの内部構成を示す分解斜視図である。
【図６】制御基板及び電源ユニットの取付け状態を示す略線図である。
【図７】サンドの背面側を示す斜視図である。
【図８】供給部の構成を示す斜視図である。
【図９】係合部に設けられた第２のシャッタの構成を示す斜視図である。
【図１０】係合部の装着方法の説明に供する斜視図である。
【図１１】端数用貯留部及びその周辺部のみを抽出して示す部分的斜視図である。
【図１２】端数用貯留部のカバーを取り外した状態を示す斜視図である。
【図１３】端数用貯留部を含む領域と、払出路を含む領域を示す部分的側面図である。
【図１４】案内装置の外観を示す斜視図である。
【図１５】案内装置の外観を示す斜視図である。
【図１６】案内装置を示す背面図である。
【図１７】案内装置の装着部を示す部分的拡大図である。
【図１８】案内装置の装着部を示す斜視図である。
【図１９】サンド側の装着部を示す斜視図である。
【図２０】案内装置の装着部を示す分解斜視図である。
【図２１】回動部材の構成を示す斜視図である。
【図２２】回動部材の構成を示す正面図である。
【図２３】回動部材の構成を示す側面図である。
【図２４】係止部の係止状態の説明に供する略線図である。
【図２５】案内装置の外観を示す斜視図である。
【図２６】案内装置を示す分解斜視図である。
【図２７】案内装置の下筺体を示す斜視図である。
【図２８】案内装置の下筺体を示す部分断面図である。
【図２９】装着部の内部構成を示す斜視図である。
【図３０】第１の阻止部による計数用通路の阻止解除状態及び阻止状態を示す側面図である。
【図３１】装着部の内部構成を示す斜視図である。
【図３２】鍵部回動片の構成を示す正面図である。
【図３３】案内装置の底部を示す斜視図である。
【図３４】検出手段による案内装置の装着の検出状態を示す略線図である。
【図３５】制御基板、ビルバリ、情報カードリーダライタ、非接触ＩＣカードリーダライタ等を筺体に設けると共に、計数部については、筺体とは別体で着脱可能に設けられる構成を示す略線図である。
【図３６】他の実施の形態に係るユニットの着脱構成を示す略線図である。
【図３７】他の実施の形態に係るロック機構部を示す略線的正面図である。
【図３８】他の実施の形態に係るユニットの着脱構成を示す略線図である。
【図３９】サンドの制御基板及び当該制御基板によって制御される構成部品を示すブロック図である。
【図４０】パチンコ機の構成を示すブロック図である。
【図４１】サンドが設置された遊技店と金融サーバとを示す略線的ブロック図である。
【図４２】サンドの制御基板及びＩ／Ｏ基板を示すブロック図である。
【図４３】メインＣＰＵによる遊技媒体の貸出処理手順を示すフローチャートである。
【図４４】操作ユニットのタッチパネルＬＣＤに表示される選択用の表示内容を示す平面図である。
【図４５】払出し処理手順を示すフローチャートである。
【図４６】離席警告処理手順を示すフローチャートである。
【図４７】サンド（メインＣＰＵ）と金融サーバとの間の情報のやり取りを示すタイミングチャートである。
【発明を実施するための形態】
【００３５】
（遊技媒体貸出装置）
本発明の遊技媒体貸出装置の実施の形態について、以下図面を参照しながら説明する。
図１は、本実施の形態における遊技媒体貸出装置（サンド）を併設したパチンコ機を示す正面図であり、図２は、サンドを示す斜視図である。
【００３６】
図１に示すように、パチンコ機１０には、それぞれ、サンド２０が併設されている。各サンド２０は、隣接するパチンコ機１０に対応して設置されており、対応する当該パチンコ機１０との間で通信可能に接続されている。また各サンド２０は、ホール全体のサンド２０のシステム管理や売り上げ管理を行うホールコンピュータ（図示せず）に対して通信可能に接続されている。なお、本実施の形態においては、ホールコンピュータに対して通信可能に接続されたサンド２０について説明するが、本発明はこれに限られるものではなく、ホールコンピュータと通信を行わないサンドであってもよい。
【００３７】
図１及び図２に示すように、各サンド２０の前面部２１には、ＬＥＤ（light-emitting diode）部３１、カード挿入口３２、紙幣を挿入可能な紙幣挿入口３３、タッチパネルＬＣＤ（liquid crystal display）により構成された操作ユニット３４、カメラ部３５、非接触ＩＣカードリーダライタ３６、端数用払出口４０、計数用投入口３９等が設けられている。カード挿入口３２は、例えばホールのカード発行機（図示せず）によって発行された情報カードを受け付け可能な挿入口である。ＬＥＤ部３１は、フルカラーＬＥＤによって構成されている。
【００３８】
遊技者は、情報カード又は所定金額の紙幣を、カード挿入口３２又は紙幣挿入口３３に投入することで、遊技に必要な遊技媒体としてのパチンコ球の貸し出しを受けることができる。また、遊技者は、非接触ＩＣカードを、非接触ＩＣカードリーダライタ３６にかざすことで、遊技に必要なパチンコ球の貸し出しを受けることができる。
【００３９】
サンド２０は、情報カード、紙幣及び非接触ＩＣカードといった価値媒体の投入を受けると、投入された価値媒体の金額に応じた数のパチンコ球を払い出す旨のコマンドを併設するパチンコ機１０に送信することにより、パチンコ機１０から当該パチンコ球を払い出すようになっている。遊技者は、パチンコ機１０においてその上皿１２に払い出されたパチンコ球によってパチンコ遊技を行うことができる。
【００４０】
また、パチンコ機１０においては、遊技の結果に応じて、上皿１２にパチンコ球を払い出すようになされている。遊技者は、所定の操作を行うことにより、上皿１２のパチンコ球を下皿１３に落とすと、当該パチンコ球は、下皿１３の下方に配置された案内装置４００の案内皿４１４に落下する。
案内装置４００は、パチンコ機１０の前方であって、下皿１４の下方に配置される。具体的には、各パチンコ機１０の前面側には、複数のパチンコ機１０からなるいわゆる島ごとに台座１５が設けられており、この台座１５上に案内装置４００が載置される。すなわち、案内装置４００は、台座１５と下皿１３との間に配置される。
案内皿４１４は、下皿１３から落下したパチンコ球を、サンド２０に設けられた計数用投入口３９へ案内する。計数用投入口３９に導入されたパチンコ球は、サンド２０の内部に設けられた計数部によって計数される。
【００４１】
計数された結果は、カード挿入口３２に挿入されたカードに記録され、又は、ホールコンピュータに設けられた記憶部に記憶される。
【００４２】
計数部において計数されたパチンコ球は、サンド２０の背面部に設けられた排出口から排出され、回収される。
計数用投入口３９から投入されたパチンコ球の計数経路とは別に、サンド２０の背面側に端数用供給部が設けられており、外部から端数用のパチンコ球を受け入れるようになっている。この供給部により、端数用のパチンコ球は、常に一定量（例えば２４球）が貯留された状態となっており、必要に応じて、端数用払出口４０から、案内皿４１４（具体的には、案内皿４１４の下方に設けられた端数用の払出皿）へ払い出される。
【００４３】
図３は、図１及び図２に示したサンド２０に案内装置４００を装着した状態を示す斜視図である。なお、図３においては、パチンコ機１０を省略している。図３に示すように、案内装置４００は、その一部に設けられた装着部４０１がサンド２０の計数用投入口３９及び端数用払出口４０を覆うように装着される。
パチンコ機１０（図１）の下皿１３から案内装置４００の案内皿４１４に落下したパチンコ球は、案内装置４００内に設けられた計数用通路（後述）を介して、サンド２０の計数用投入口３９に投入される。また、サンド２０の端数用払出口４０から払い出された端数のパチンコ球は、案内装置４００内に設けられた端数用通路を介して、端数用として専用に設けられた払出皿４０２に払い出される。遊技者は、この払出皿４０２に払い出された端数のパチンコ球を上皿に移動させてパチンコ遊技に用いることができる。
因みに、案内装置４００の筐体（第１の筐体）４０５の上面部には、遊技者がパチンコ機１０のハンドル１６（図１）を操作する際に、操作する手を乗せるための手置部４０６が設けられている。案内装置４００の詳細な構成については、後述する。
図４は、サンド２０の内部構成を示す斜視図である。図４３に示すように、サンド２０は、筐体２２（図２）の内部に、情報カード、紙幣、非接触ＩＣカード等の価値媒体を識別する識別手段（情報カードリーダライタ６２、紙幣識別装置６１、非接触ＩＣカードリーダライタ３６等）と、電源ユニット６５と、制御基板６６とを収納している。
【００４４】
また、制御基板６６、電源ユニット６５の下方には、外部からの端数用のパチンコ球を受け入れる供給部７０と、供給部７０を介して供給された端数用のパチンコ球を貯留する端数用貯留部７１とを有する。供給部７０において、外部のシステムから端数用パチンコ球をサンド２０に供給するための導入路８１は、その先端部に設けられた係合部８２をサンド２０の背面に設けられた開口部に対して、装着機構部７５によって装脱可能となっている。係合部８２がサンド２０の裏面の開口部に装着された状態において、導入路８１を介して端数用のパチンコ球が開口部からサンド２０内に供給される。サンド２０内に供給された端数用のパチンコ球は、搬送路７６を介して端数用貯留部７１に貯留される。供給部７０の詳細構成については後述する。
【００４５】
端数用貯留部７１には、常に一定のパチンコ球が貯留されており、制御基板６６からの払出コマンドにより指定された数のパチンコ球が、端数用として、端数用払出口４０から払い出される。
【００４６】
端数用払出口４０の下方には、計数用投入口３９が設けられており、パチンコ機１０に装着された案内皿４１４（図１）から排出されたパチンコ球が、当該計数用投入口３９を介して、計数部９０に導かれる。計数部９０は、パチンコ球を計数し、当該計数結果を制御基板６６に送出する。計数済のパチンコ球は、計数部９０から排出部９５へと転がり、排出部９５を介して外部へ排出され回収される。計数部９０の詳細構成については後述する。
【００４７】
次に、カメラ部３５の構成について説明する。図５に示すように、カメラ部３５は、赤外光を照射する赤外ＬＥＤ基板３５Ａと、赤外光が被写体（遊技者）において反射して得られる反射光を受光することにより、被写体像を撮像するＣＭＯＳカメラ３５Ｂとを有する。赤外ＬＥＤ基板３５Ａは、その赤外ＬＥＤにより、制御基板６６からのコマンドに基づいて赤外光を照射する。ＣＭＯＳカメラ３５Ｂは、撮像信号を制御基板６６に送出する。制御基板６６は、撮像信号に基づいて、画像認識を行う。
【００４８】
カメラ部３５においては、赤外ＬＥＤ基板３５Ａ及びＣＭＯＳカメラ３５Ｂの前面にフィルタ３５Ｃが設けられている。このフィルタ３５Ｃは、赤外光を透過し、それ以外の波長の光は通さないフィルタであり、赤外ＬＥＤ基板３５Ａから被写体に照射された赤外光の反射光のみを透過させてＣＭＯＳカメラ３５Ｂに受光させるようになっている。これにより、パチンコ機１０や当該パチンコ機１０が設置されているホールの演出光の影響を抑制して、被写体（遊技者）の像を明瞭に撮像することができる。
【００４９】
次に、制御基板６６の配置構成について説明する。図６は、サンド２０の筺体２２に収納された制御基板６６及び電源ユニット６５を示す略線的断面図である。図６に示すように、制御基板６６は、略９０°の角度で結合された第１の基板領域６６Ａと、第２の基板領域６６Ｂとを有し、第１の基板領域６６Ａは、サンド２０の前面パネル２１Ｂの裏面側に接するように収納される。すなわち、第１の基板領域６６Ａは、略垂直に収納される。第１の基板領域６６Ａと直交する方向に結合された第２の基板領域６６Ｂは、その端部にコネクタ６６Ｃが設けられており、このコネクタ６６ＣがＩ／Ｏ基板６７に接続される。
【００５０】
Ｉ／Ｏ基板６７は、その主面が筺体２２の背面部２２Ｂに沿うように配置されており、このＩ／Ｏ基板６７の基板面に設けられたコネクタに、制御基板６６のコネクタ６６Ｃが接続される。
【００５１】
また、制御基板６６の第１の基板領域６６ＡとＩ／Ｏ基板６７との間には、電源ユニット６５が配置される。この電源ユニット６５のコネクタ６５Ｃは、Ｉ／Ｏ基板６７に設けられたコネクタに接続される。このように、電源ユニット６５は、制御基板６６の第１の基板領域６６Ａと、Ｉ／Ｏ基板６７との間に挟まれた状態に配置される。電源ユニット６５、制御基板６６の左右方向の幅寸法は、サンド２０の筺体２２に設けられた左右両側の側壁２２Ｄ（図２）によって挟まれる程度の寸法となっており、図５に示すように、電源ユニット６５及び制御基板６６が配置された状態においては、筺体２２の側壁２２Ｄによって、左右方向から挟まれた状態となる。また、電源ユニット６５は、筺体２２の一部に設けられたフレーム２２Ｅ上に載置されるようにもなっている。
【００５２】
これらにより、電源ユニット６５は、Ｉ／Ｏ基板６７、側壁２２Ｄ、制御基板６６の第１の基板領域６６Ａ、第２の基板領域６６Ｂ、フレーム２２Ｅによって、上下左右全ての方向から挟まれた状態となる。これにより、電源ユニット６５が不用意に動くことを防止することができる。
【００５３】
次に、情報カードリーダライタ６２及び非接触ＩＣカードリーダライタ３６（図３）のアンテナ配置について説明する。図３に示したように、本実施の形態のサンド２０においては、制御基板６６を挟んで、上下に情報カードリーダライタ６２及び非接触ＩＣカードリーダライタ３６が設けられている。
【００５４】
情報カードリーダライタ６２及び非接触ＩＣカードリーダライタ３６の各々のアンテナは、制御基板６６によって制御される。なお、制御基板６６のブロック構成については後述する。
【００５５】
次に、筺体２２の背面側に設けられた、端数用のパチンコ球を導入するための供給部７０の詳細について説明する。図７は、サンド２０の背面側を示す斜視図である。図７に示すように、サンド２０の筺体２２の背面側には、端数用のパチンコ球を外部から供給するための供給部７０が設けられている。この供給部７０においては、筺体２２の背面部に形成された開口部に、外部からの導入路８１を装着するための装着機構部７５が設けられている。
【００５６】
装着機構部７５は、導入路８１の先端部に設けられた係合部８２を装脱可能となっている。導入路８１は、金属材料等により構成された筒状の部材であり、内部をパチンコ球が搬送されるようになっている。図８に示すように、導入路８１の先端部に設けられた係合部８２は、フレーム１０１に、パチンコ球を通過させるガイド部１０２と、ガイド部１０２の出口を開閉するための第２のシャッタを有する第２のシャッタ部１０４とを備える。
【００５７】
図９は、係合部８２のサンド２０への装着側を示す斜視図である。図９に示すように、フレーム１０１には、ガイド部１０２のパチンコ球の出口を開閉する第２のシャッタ部１０４が設けられている。この第２のシャッタ部１０４は、フレーム１０１に対して回動軸１０４Ａを中心に回動可能に軸支されたアーム１０４Ｃの先端部を第２のシャッタ１０４Ｂとし、当該第２のシャッタ１０４Ｂが回動位置によってガイド部１０２のパチンコ球の供給口１０２Ａを閉塞するようになっている。
【００５８】
第２のシャッタ１０４Ｂは、係合部８２をサンド２０の背面部に装着した際にガイド部１０２の供給口１０２Ａを開くように回動する。この回動機構について説明する。第２のシャッタ１０４Ｂ（アーム１０４Ｃ）は、ばねによって常にガイド部１０２の供給口１０２Ａを閉塞する状態に付勢されている。フレーム１０１には、前後移動可能なプッシュレバー１０５が設けられており、係合部８２をサンド２０の背面部に装着すると、係合部８２の当接面８２Ａがサンド２０の裏面部に当接し、プッシュレバー１０５の先端部１０５Ａがサンド２０の裏面部によって押圧される。これにより、プッシュレバー１０５は、矢印ａ方向（後方）に移動する。この移動に伴って、第２のシャッタ１０４Ｂが回動し、ガイド部１０２の供給口１０２Ａが開放される。すなわち、第２のシャッタ１０４Ｂは、係合部８２をサンド２０の背面部に装着する動作に応じて、ガイド部１０２の供給口１０２Ａを開放するように動作する。
【００５９】
これに対して、係合部８２をサンド２０の背面部から取り外すと、これに応じて、第２のシャッタ１０４Ｂがガイド部１０２の供給口１０２Ａを閉塞するように動作する。これらにより、係合部８２がサンド２０から取り外されている状態においては、ガイド部１０２の供給口１０２Ａから端数用として供給されるパチンコ球がこぼれ落ちない状態となる。
【００６０】
一方、サンド２０の背面部には、第１のシャッタ部１１４が設けられている（図８）。図１０に示すように、第１のシャッタ部１１４は、サンド２０の筺体２２（背面部）に対して回動軸１１４Ａを中心に回動可能に軸支されたアーム１１４Ｃの先端に第１のシャッタ１１４Ｂを有しており、当該第１のシャッタ１１４Ｂが、回動位置によって、サンド２０の背面部に設けられた開口部２２Ｆを開閉する。
【００６１】
第１のシャッタ１１４Ｂの回動機構について説明する。第１のシャッタ１１４Ｂは、ばねによって、開口部２２Ｆを閉塞する方向に付勢されている。他方の先端部には、斜めに傾斜した傾斜部１１４Ｄが形成されている。一方、係合部８２のサンド２０の背面部に当接される部位には、ガイド突起部８２Ｂが形成されている。係合部８２をサンド２０の背面部に装着すると、ガイド突起部８２Ｂがアーム１１４Ｃの傾斜部１１４Ｄを押し下げる。これにより、第１のシャッタ１１４Ｂは、ばねの付勢力に抗して開口部２２Ｆを開く方向に回動する。このように、係合部８２をサンド２０の背面部に装着すると、第１のシャッタ１１４Ｂが開口部２２Ｆを開放する。
【００６２】
このように、係合部８２を装着していない状態においては、開口部２２Ｆは、第１のシャッタ１１４Ｂによって閉塞され、係合部８２を装着した場合には、開放されることにより、係合部８２を装着していない状態において、開口部２２Ｆ内に貯留された端数用のパチンコ球が開口部２２Ｆから外部にごぼれ落ちることを防止することができる。
【００６３】
因みに、係合部８２は、位置決め孔８２Ｃ（図１０）とサンド２０の背面部に設けられた突起部２２Ｇとを係合することで位置決めし、ねじ孔２２Ｈにフレーム１０１の一部をねじ止めすることで、サンド２０の背面部に固定することができる。
【００６４】
次に、開口部２２Ｆに連通する端数用貯留部７１（図４）について説明する。図１１は、端数用貯留部７１及びその周辺部のみを抽出して示す部分的斜視図である。図１１に示すように、サンド２０の内部には、開口部２２Ｆ（図１０）に連通して搬送路７６が設けられており、この搬送路７６の先には端数用貯留部７１が設けられている。開口部２２Ｆから供給された端数用のパチンコ球は、搬送路７６を介して端数用貯留部７１に貯留される。
【００６５】
端数用貯留部７１では、開口部２２Ｆを介して外部から供給されたパチンコ球を常に一定数貯留しており、制御基板６６からのコマンドに応じた数のパチンコ球を端数用のパチンコ球として端数用払出口４０から払い出す。
【００６６】
図１２は、端数用貯留部７１の内部構成を示す斜視図である。なお、図１２は、端数用貯留部７１のカバーを取り外した状態を示している。端数用貯留部７１は、搬送路７６を介して外部から供給されたパチンコ球を、屈曲形状の通路に１列に貯留するようになっている。この屈曲形状の通路は、カバー側に設けられている。
【００６７】
通路の下端部には、パチンコ球を検出するセンサ（磁気センサ、光センサ等）７１Ａが設けられている。このセンサ７１Ａは、パチンコ球を１つずつ通過させるための開口部が形成されており、この開口部を通過するパチンコ球を検出する。検出結果は、制御基板６６に送出される。
【００６８】
センサ７１Ａの開口部には、パチンコ球を通過又は非通過とするための払出しアーム１２１が設けられている。この払出しアーム１２１は、回動軸１２１Ａを中心に回動可能に軸支されており、ソレノイド２２２によって回動するようになっている。払出しアーム１２１の回動位置に応じて、当該払出しアーム１２１の先端部によって、センサ７１Ａの開口部を開放又は閉塞することにより、パチンコ球を通過又は非通過状態に制御することができる。センサ７１Ａを通過したパチンコ球は、払出路１２５を介して、端数用払出口４０から払い出される。
【００６９】
図１３は、端数用貯留部７１を含む領域ＡＲ１と、払出路１２５を含む領域ＡＲ２を示す部分的側面図である。図１３は、筺体２２の側壁を省略し、内部構造を示している。図１３に示すように、サンド２０は、端数用貯留部７１から上方の領域ＡＲ１と、払出路１２５及び計数部９０を含む領域ＡＲ２とが分離された構成を有している。払出路１２５は、連結部１２５Ａによって計数部９０と一体化されている。この一体化された払出路１２５と計数部９０とは、領域ＡＲ２を構成する筺体（図示せず）によって、１つのユニット１３０Ｂ（図２〜図５）を構成している。このユニット１３０Ｂは、当該ユニット１３０Ｂよりも上部の他の構成部からなるユニット１３０Ａ（図２〜図５）に対して筺体を含めて別体となっており、前面側からユニット１３０Ｂを独立に抜き差しすることが可能となっている。
【００７０】
これにより、ユニット１３０Ｂのみを取り出して、計数部９０のみを個別にメンテナンスすることが可能となっている。
【００７１】
前面側からユニット１３０Ｂを挿入した状態においては、端数用貯留部７１のセンサ７１Ａの下方に設けられた貯留部出口７１Ｂと、払出路１２５の上端部に設けられた払出路入口１２５Ｂとが連通することにより、センサ７１Ａを通過したパチンコ球は、貯留部出口７１Ｂ及び払出路入口１２５Ｂを介して、払出路１２５に落下するようになっている。すなわち、ユニット１３０Ｂを挿入した状態においては、端数用貯留部７１のセンサ７１Ａを通過したパチンコ球が、払出路１２５を介して端数用払出口４０から払い出されるようになっている。
【００７２】
次に、計数部９０について説明する。図１３に示すように、計数部９０は、計数用投入口３９から投入されたパチンコ球を、筒状の搬送路９１を通して排出部９５から外部へ排出する。搬送路９１の内部には、磁気センサ又は光センサ等で構成されたセンサ（図示せず）が設けられており、このセンサにより、搬送路９１を転がるパチンコ球を検出し、検出結果を制御基板６６へ送出する。制御基板６６は、センサからの検出結果に基づいて、搬送路９１を転がるパチンコ球の数を計数する。これにより、パチンコ機１０の下皿１３から案内皿４１４へ落下し、計数用投入口３９へ導かれたパチンコ球の数を計数部９０において計数することができる。
【００７３】
次に、案内装置４００（図１、図３）の詳細構成について説明する。図１４は、案内装置４００を示す斜視図である。図１４に示すように、案内装置４００は、パチンコ機１０（図１）の前面部であって下皿１３（図１）の下方に設置可能な大きさとなっており、上面部の略中央部には、パチンコ機１０の下皿１３から落下したパチンコ球を受け入れる案内皿４１４が設けられている。
【００７４】
案内皿４１４の底面部は、矢印ａで示す方向に傾斜しており、当該案内皿４１４に落下したパチンコ球を、矢印ａ方向に流下させるようになっている。この底面部には、パチンコ球を流下させるａ方向に、パチンコ球の径よりも小さな幅でなる複数の案内溝４１４Ａが形成されており、パチンコ球の矢印ａ方向への流下を促す構成となっている。案内皿４１４内において矢印ａ方向に流下したパチンコ球は、筐体４０５の内部に設けられた計数用通路（後述）を通って、サンド２０（図１）との装着部４０１へ到達する。
【００７５】
案内皿４１４の側壁部の開口縁部には、ゴム等の柔軟な材質でなる囲い部材４０７が設けられている。この囲い部材４０７によって、パチンコ機１０の下皿１３から落下するパチンコ球が周囲にこぼれ落ちることを防止すると共に、案内装置４００の下皿１３の下方に設置する際に、下皿１３の下面部と案内皿４１４の縁部とが直接接触して傷が付くことを防止するようになっている。
【００７６】
また、案内装置４００の筐体４０１には、案内皿４１４の大きさに比べて小さな払出皿４０２が設けられている。図３について上述したように、この払出皿４０２には、サンド２０から払い出された端数分のパチンコ球が、内部に設けられた端数用通路（後述）を通って流れ落ちる。払出皿４０２は、案内皿４１４の横に設けられている。案内皿４１４の上方には、パチンコ機１０の下皿１３が配置されることにより、払出皿４０２の位置が案内皿４１４の横に配置されることで、払出皿４０２は、下皿１３の下方からオフセットした位置に設けられることになる。これにより、遊技者が払出皿４０２のパチンコ球を取り易くすることができる。
【００７７】
筐体４０５の前面部には、案内装置４００のサンド２０に対する装着状態をロック又はロック解除するための鍵部４１０が設けられている。この鍵部４１０に所定の鍵を差し込んで回動することにより、サンド２０に対して案内装置４００をロック又はロック解除することができる。
【００７８】
図１５及び図１６は、案内装置４００の裏面側（パチンコ機１０に対向する側）を示す斜視図及び背面図であり、図１７及び図１８は、装着部４０１を部分的に拡大して示す背面図及び斜視図である。
【００７９】
図１５〜図１８に示すように、案内装置４００の装着部４０１は、案内皿４１４から内部の計数用通路（後述）を介して流下する計数用のパチンコ球の計数用払出口４２１と、サンド２０の端数用払出口４０（図１）から払い出された端数のパチンコ球を受け入れるための端数用通路（後述）の流入口４４１とがそれぞれ案内装置４００の裏面側に露出した状態で近傍に集められている。
【００８０】
また、装着部４０１には、後方に突出したガイド突起部４６１Ａ及び４６１Ｂが設けられている。ガイド突起部４６１Ａ及び４６１Ｂは、案内装置４００をサンド２０に装着する際に、サンド２０の装着部２０Ａ（図２）の開口部４１（図２）に挿入されることで、正しい装着位置に案内装置４００を装着することができる。
【００８１】
ここで、案内装置４００の装着部４０１には、サンド２０の装着部２０Ａ（図２）に装着した際に、この装着状態をロック又はロック解除するロック機構部５５０が設けられている。ロック機構部５５０は、その先端部に形成された係止部５５２が上下方向（矢印ｂ及び反対方向）に回動する一対の回動部材５５１を有する。
【００８２】
この回動部材５５１は、その係止部５５２を、図１９に示すサンド２０の装着部２０Ａの開口部４１（図２）内に設けられた一対の被係止部２０Ｂに係合することにより、サンド２０の装着部２０Ａに対する案内装置４００の装着状態をロックするようになっている。
【００８３】
ロック機構部５５０の詳細構成について説明する。図２０は、図１８に示した案内装置４００の筐体４０５を構成する上筐体４０５Ａ及び下筐体４０５Ｂを分解してその内部を示す分解斜視図である。図２０においては、上筐体４０５Ａを省略して示している。図２０に示すように、案内装置４００においては、回動軸５５３を回動中心として回動部材５５１が回動可能に軸支されている。回動軸５５３は、上筐体４０５Ａ（図１８）によって支持されている。
【００８４】
回動部材５５１は、水平方向に設けられた回動軸５５３を回動中心として回動することにより、回動軸５５３より後方（サンド２０側）にある係止部５５２が矢印ｂ及び反対方向に上下動する。回動部材３３１において、回動軸５５３よりも前方にある平板部５５４には、コイルばね５５５が当接されている。このコイルばね５５５は、上筐体４０５Ａ（図１８）と平板部５５４との間に介挿され、平板部５５４を常に下方に付勢している。これにより、回動部材５５１の係止部５５２は、上方（矢印ｂ方向）に付勢された状態となっている。
【００８５】
この状態において、鍵部４１０に所定の鍵を差し込んで回すことにより、回動部材５５１をコイルばね５５５の付勢力に抗して回動させることができ、係止部５５２を下方（矢印ｂとは反対方向）に移動させることができる。鍵部４１０においては、鍵を回して係止部５５２を上方（矢印ｂ方向）に上昇させた状態又は下方（矢印ｂとは反対方向）に下降させた状態で鍵を引き抜くことにより、その状態で回動部材５５１を保持することができる。
【００８６】
図２１、図２２及び図２３は、回動部材５５１及び鍵部４１０を示す斜視図、正面図及び側面図である。図２１〜図２３に示すように、回動部材５５１は、係止部５５２及び平板部５５４が一体に形成されていることに加えて、平板部５５４の先端部に平板状の当接部５５６が一体に形成されている。
【００８７】
一方、鍵部４１０においては、鍵穴４１０Ａに差し込まれた鍵を回すことにより、鍵部回動片５７０を矢印ｃで示す方向又はこれとは反対方向に回動させることができるようになっており、鍵部回動片５７０の先端部には、平板状の当接部５７１が形成されている。
【００８８】
鍵部回動片５７０を矢印ｃで示す方向に回動させると、当該鍵部回動片５７０の当接部５７１によって、回動部材５５１の当接部５５６は、コイルばね５５５の付勢力に抗して、矢印ｃ方向に押し上げられる。これに対して、鍵を回すことによって鍵部回動片５７０を矢印ｃとは反対方向に回動させると、回動部材５５１は、コイルばね５５５の付勢力によって矢印ｃとは反対方向に降下する。
【００８９】
鍵部４１０においては、鍵部回動片５７０の当接部５７１を矢印ｃ方向に回動させた状態（図２１〜図２３に示す状態）及び矢印ｃとは反対方向に回動させた状態にそれぞれ保持することができるようになっている。
【００９０】
これにより、鍵穴４１０Ａに差し込まれた鍵を回すことにより、回動部材５５１を回動させて係止部５５２を矢印ｂ方向に上昇させた状態又は矢印ｂとは反対方向に下降させた状態に保持することができる。
【００９１】
このように、鍵を回すことによって係止部５５２を上昇又は下降させることができることにより、図２４（ａ）に示すように、鍵孔４１０Ａに差し込まれた鍵を回して係止部５５２を上昇させた状態で、案内装置４００をパチンコ機１０の前方に位置決めし、係止部５５２を、サンド２０の開口部４１（図１９）内に対して矢印ｄ方向に挿入する。この場合、係止部５５２は上昇していることにより、開口部４１内の被係止部２０Ｂを避けて、内部に入り込むこととなる。
【００９２】
この状態において、鍵孔４１０Ａに差し込まれている鍵を回して係止部５５２を下降させることにより、図２４（ｂ）に示すように、当該係止部５５２を、被係止部２０Ｂの背後に挿入させて被係止部２０Ｂと係止部５５２とを係止状態とすることができる。この状態では、案内装置４００をサンド２０から引き離すことができない状態となり、サンド２０に対する案内装置４００の装着状態がロックされたことになる。これに対して、鍵孔４１０Ａに差し込まれた鍵を回すことによって係止部５５２を上昇させると、係止部５５２と被係止部２０Ｂとの間の係止状態が解放されることにより、案内装置４００をサンド２０から引き離すことができる状態となり、サンド２０に対する案内装置４００の装着状態がロック解除されたことになる。
【００９３】
装着状態においては、サンド２０側の端数用払出口４０と、案内装置４００側の端数用通路（後述）の流入口４４１とが連通した状態となることにより、サンド２０から払い出された端数のパチンコ球は、案内装置４００の端数用通路を介して払出皿４０２へ流下する。
【００９４】
また、この装着状態においては、サンド２０側の計数用投入口３９と、案内装置４００側の計数用払出口４２１とが連通した状態となることにより、案内装置４００の計数用通路（後述）を介して払い出されたパチンコ球は、サンド２０の計数用投入口３９からサンド２０の内部に設けられた計数部に流入し計数されることになる。
【００９５】
このように、回動部材５５１に係止部５５２を設けて当該係止部５５２を上昇又は下降させる構成としたことにより、案内装置４００を傾けることなく、係止部５５２を被係止部２０Ｂに係止させることができる。すなわち、案内装置４００をサンド２０に装着する際に、案内装置４００を水平を保ったままパチンコ機１０の前面側であって下皿１３の下方に滑りこませるように位置決めすることが可能となる。
【００９６】
これにより、例えば、下皿１３と台座１５（図１）との間の隙間が狭い場合であっても、容易に案内装置４００をサンド２０に装脱することが可能となる。また、案内装置４００を水平を保ったままサンド２０に装脱することができることにより、案内装置４００の案内皿４１４や払出皿４０２にパチンコ球が残っている状態、さらには、後述する計数用通路や端数用通路にパチンコ球が残っている場合においても、これらが落下することを抑制することができる。
【００９７】
次に、案内装置４００の計数用通路及び端数用通路について説明する。図２５は、案内装置４００を示す斜視図である。図２５に示すように、案内装置４００の案内皿４１４の底面は、図１４について上述したように、矢印ａ方向に傾斜しており、この最も低くなった部分の側壁部に計数用通路５８０の流入口５８１が設けられている。これにより、案内皿４１４内のパチンコ球は、当該案内皿４１４の底面の傾斜によって流入口５８１へと流下し、当該流入口５８１から計数用通路５８０を流下することになる。
【００９８】
図２６は、案内装置４００の上筐体４０５Ａ及び下筐体４０５Ｂを分離した状態を示す分解斜視図であり、図２７は、下筺体４０５Ｂを示す平面図であり、図２８は、計数用通路５８０を示す断面図である。図２６〜図２８に示すように、下筺体４０５Ｂには、計数用通路５８０として、２つの通路５８０Ａ、５８０Ｂが設けられている。通路５８０Ａ、５８０Ｂは、それぞれ側壁によって仕切られた独立した通路を形成しており、流入口５８１（図２５）から装着部４０１の計数用払出口４２１に向かって低くなるように傾斜しており、パチンコ球が流入口５８１から計数用払出口４２１に向かって流下するようになっている。
【００９９】
これらの通路５８０Ａ、５８０Ｂの底面には、通路５８０Ａ、５８０Ｂに沿ってリブ５８２Ａ、５８２Ｂが形成されている。通路５８０Ａ、５８０Ｂを通るパチンコ球は、リブ５８２Ａ、５８２Ｂの上を転がるようになっている。仮に、通路５８０Ａ、５８０Ｂにリブ５８２Ａ、５８２Ｂを設けないとすると、通路を形成する凹状の面の上をパチンコ球が転がるようになる。この場合、パチンコ球が通路を通過するごとに当該通路にわずかな凹みが生じる。そして、案内装置４００の計数用通路５８０を利用してパチンコ球の計数を行う機会は多いため（例えば、大当り１回ごとに数千のパチンコ球が通過する）、早い段階で通路が凹み、パチンコ球の通過に支障をきたすこととなり、スムーズな計数を行うことが困難になる問題がある。これに対して、本実施の形態のようにリブ５８２Ａ、５８２Ｂを設け、当該リブ５８２Ａ、５８２Ｂによってパチンコ球を受けるようにすることで、通路５８０Ａ、５８０Ｂが凹むことを抑制することができる。
【０１００】
なお、図２６〜図２８においては、リブ５８２Ａ、５８２Ｂを一体化した通路５８０Ａ、５８０Ｂについて述べたが、これに限られるものではなく、リブ５８２Ａ、５８２Ｂを通路５８０Ａ、５８０Ｂから取り外し可能な構成として、リブ５８２Ａ、５８２Ｂを交換可能とするようにしてもよい。このようにすれば、リブ５８２Ａ、５８２Ｂが減ってきた場合に当該リブ５８２Ａ、５８２Ｂを交換することで、通路５８０Ａ、５８０Ｂを使い続けることが可能となる。
【０１０１】
また、図２６〜図２８に示すように、通路５８０Ａ、５８０Ｂは、案内皿４１４から装着部４０１までの間に複数個所で屈曲した形状を有している。このように屈曲部５８３を設けることにより、パチンコ球の球圧を分散させることができる。通路５８０Ａ、５８０Ｂを流下したパチンコ球は、サンド２０の計数部において計数されることになるが、サンド２０側の計数用投入口３９（図１９）からサンド２０内の計数部９０（図１３）までの間には、パチンコ球の通過を遮蔽するストッパが設けられている。このストッパは、ソレノイドにより移動することでパチンコ球の通路から退避し、遮蔽状態が解除される。通路５８０Ａ、５８０Ｂに屈曲部５８３が形成されていない場合、ストッパまでの間のパチンコ球の数が多いと、ストッパ作動時にパチンコ球の圧力によってストッパが退避できない状態となってしまう。これに対して、本実施の形態のように、通路５８０Ａ、５８０Ｂに屈曲部５８３を設けることにより、ストッパに加わる圧力分散させて当該ストッパが退避できない状態となることを回避することができる。
【０１０２】
また、図２６に示すように、上筺体４０５Ａには、センタープレート５７９がねじ止めされている。このセンタープレート５７９には、端数用通路５９０が設けられている。この端数用通路５９０は、流入口４４１から払出皿４０２へ向かって低くなるように傾斜しており、サンド２０の端数用払出口４０（図１９）から払い出された端数のパチンコ球は、この端数用通路５９０を介して払出皿４０２に流下する。
【０１０３】
因みに、センタープレート５７９は、上筺体４０５Ａにねじ止めされていることに加えて、装着部４０１の回動部材５５１（図２１、図２３）によっても上筺体４０５Ａに保持されるようになっている。具体的には、図２１について上述したように、回動部材５５１が回動して係止部５５１が矢印ｂとは反対方向に下降したロック状態においては、図２９に示すように、回動部材５５１に一体形成された第１の阻止部５５７によって、センタープレート５７９が上筺体４０５Ａに押さえ付けられた状態となる。これにより、ねじが緩んだ場合においても、第１の阻止部５５７によってセンタープレート５７９が落下することを防止することができる。
【０１０４】
次に、第１の阻止部５５７の主な機能について説明する。図２１に示したように、回動部材５５１は、回動軸５５３を中心にして回動可能に軸支されており、係止部５５２が矢印ｂとは反対方向に下降したロック状態では、図３０（ａ）に示すように、第１の阻止部５５７が計数用通路５８０の外に退避した状態となっている。この状態においては、パチンコ球Ｐは、計数用通路５８０を矢印ｅ方向に流下して計数用払出口４２１から払い出される。
【０１０５】
これに対して、回動部材５５１が回動して係止部５５２が矢印ｂ方向に上昇したロック解除状態では、図３０（ｂ）に示すように、第１の阻止部５５７が計数用通路５８０内に挿入された状態となる。この状態においては、パチンコ球Ｐは、その上部に第１の阻止部５５７が当接することにより、計数用通路５８０を流下することができない。
【０１０６】
かくして、回動部材５５１をロック状態とすることにより、パチンコ球Ｐの流下を許可し、回動部材５５１をロック解除状態とすることにより、パチンコ球Ｐの流下を禁止することができる。これにより、案内装置４００のサンド２０への装着状態がロックされた場合には、計数用通路５８０を介して、パチンコ球をサンド２０側の計数部へ送ることができ、これに対して、ロックが解除された場合には、パチンコ球Ｐの流下を禁止して、案内装置４００がサンド２０から取り外された場合に、計数用通路５８０の計数用払出口４２１からパチンコ球Ｐがこぼれ落ちることを防止することができる。
【０１０７】
次に、第２の阻止部５７５の機能について説明する。図３１に示すように、鍵部回動片５７０（図２１〜図２３において上述）は鍵部４１０に差し込まれた鍵（図示せず）を回すことによって回動するようになっており、この回動によって回動部材５５１を連動して回動させるようになっている。これに加えて、鍵部回動片５７０には、端数用通路５９０をパチンコ球が通過することを阻止する第２の阻止部５７５が設けられている。この第２の阻止部５７５は、鍵部回動片５７０の回動に伴って上下動することにより、端数用通路５９０の一部に形成された切欠き部５９１を介して、端数用通路５９０の内部に対して挿脱するようになっている。
【０１０８】
図３２において実線で示す鍵部回動片５７０は、その当接部５７１を上方に回動することにより、回動部材５５１の当接部５５６を押し上げて、回動部材５５１をロック状態とした状態を示している。この状態においては、鍵部回動片５７０の当接部５７１が上昇していることにより、その第２の阻止部５７５は、端数用通路５９０から退避した状態となっている。これに対して、図３２において一点鎖線で示すように、鍵部回動片５７０を回動させて当接部５７１を下降させた状態（回動部材５５１をロック解除とした状態）では、その第２の阻止部５７５が切欠き部５９１を介して端数用通路５９０内に挿入されることになる。これにより、端数用通路５９０内をパチンコ球が通過することを阻止することができる。すなわち、回動部材５５１がロック解除された状態（案内装置４００をサンド御２０から取り外すことができる状態）においては、端数用通路５９０におけるパチンコ球の通過を禁止することにより、例えば、案内装置４００を取り外してこれを傾けた場合でも、案内装置４００の払出皿４０２（図１４）に貯留された端数分のパチンコ球が端数用通路５９０を逆流してこぼれ落ちることを防止することができる。
【０１０９】
図３３に示すように、案内装置意４００の下筺体４０５Ｂの底面部には、一対のねじ込み式の卓上ベース４０５Ｈが設けられている。これらの卓上ベース４０５Ｈは、下筺体４０５Ｂに対するねじ込み量を調整することにより、その突出高さを調節することができ、これにより、案内装置４００の高さを調節することができる。
【０１１０】
なお、上述の実施形態においては、サンド２０の開口部４１（図１９）側に特別な遮蔽手段を設けない構成について説明したが、これに限られるものではなく、例えば、図３４（ａ）に示すように、回動部材５５１の係止部５５２がサンド２０側の被係止部２０Ｂを係止状態が解除されたこと（被係止部２０Ｂに係止していた係止部５５２が上方に移動して係止状態が解除されたこと）を光センサ等の検出手段５９９Ａによって検出し、この検出に応じて、端数用払出口４０（図１９）をモータ等を用いて遮蔽板（図示せず）によって遮蔽するようにしてもよい。このようにすれば、案内装置４００をサンド２０から取り外した際に、サンド２０の端数用払出口４０からサンド２０内に残っている端数分のパチンコ球が外部に落下することを防止することができる。なお、案内装置４００をサンド２０に装着する場合には、図３４（ｂ）に示すように、サンド２０の開口部２０Ａ（図１９）に光センサ等の検出手段５９９Ｂを設けておき、この検出手段５９９Ｂによって係止部５５２等の案内装置４００側の部位の挿入が検出されたことに応じて、遮蔽板を開放する。また、検出手段としては、図３４において上述したような光センサ等のセンサ式に限られるものではなく、例えば、係止部５５２等の案内装置４００側の部材がサンド２０に装着された場合にリンク機構等で機械式シャッタを連動させるようにしてもよい。
【０１１１】
図３５は、制御基板６６、ビルバリ６１、情報カードリーダライタ６２、非接触ＩＣカードリーダライタ３６等を筺体２２に設けると共に、計数部９０については、筺体２２とは別体で着脱可能に設けられる構成を示す略線図である。図３５に示すように、サンド２０は、制御基板６６、ビルバリ６１、情報カードリーダライタ６２、非接触ＩＣカードリーダライタ３６等を筺体２２の内部に設けて構成されており、計数部９０は、筺体２２の下部に設けられた空間に着脱可能にユニット化された構成を有している。
【０１１２】
この計数部９０においては、ユニット部の着脱装置６３４と筺体２２の着脱装置（係止ピン、解除ピン、突起等により構成される）６２４とを介して、計数部９０を、筺体２２の下部に設けられた筺体６２２に対して着脱可能となっている。計数部９０を装着した際に、計数部９０のコネクタ６３６と、筺体６２２側のコネクタ６２６とが接続されることにより、計数部９０のセンサ等の部品が筺体２２側の制御基板６６に接続される。
【０１１３】
このように、計数部９０を筺体２２とは別体にして前面側からスライドさせて着脱可能としたことにより、メンテナンス作業を容易に行うことができる。なお、本実施の形態においては、筺体６２２と筺体２２を完全に別体としているが、筺体２２の一部に計数部９０を着脱可能な構成としてもよい。
【０１１４】
また、上述の実施の形態においては、計数部９０を有するユニット１３０Ｂを前方から抜き差しすることが可能な構成について述べたが、これに限られるものではなく、端数用貯留部７１を有するユニット１３０Ａを前方から抜き差しすることが可能な構成としてもよい。
【０１１５】
図３６は、他の実施の形態に係るサンド２０の構成を示す略線図である。図３６に示すように、他の実施の形態に係るサンド２０において、その筐体は、ホールの島設備に組み付けられるフレーム６５２を備えている。フレーム６５２には、ユニット１３０Ｂを組み込むフレーム下部領域６５２Ｂと、ユニット１３０Ａを組み込むフレーム上部領域６５２Ａとが設けられている。
【０１１６】
フレーム上部領域６５２Ａには、ユニット１３０Ａを前方から抜き差し可能とするガイド部（図示せず）が設けられており、ユニット１３０Ａをガイド部に沿って前方からフレーム６５２へ挿入することにより、当該ユニット１３０Ａをフレーム６５２に組み込むことができる。
【０１１７】
このユニット１３０Ａにおいては、当該ユニット１３０Ａ側の着脱装置６６４とフレーム６５２側の着脱装置（係止ピン、解除ピン、突起等により構成される）６５４とを介して、ユニット１３０Ａを、フレーム６５２のフレーム上部領域６５２Ａに対して着脱可能となっている。ユニット１３０Ａを装着した際に、ユニット１３０Ａのコネクタ６６６と、フレーム６５２側のコネクタ６５６とが接続されることにより、ユニット１３０Ａに設けられた各部（ビルバリ、情報カードリーダライタ、カメラ部、制御基板、操作ユニット、非接触ＩＣカードリーダライタ等）がフレーム６５２に組み込まれた計数部９０に接続される。
【０１１８】
計数部９０を有するユニット１３０Ｂは、フレーム６５２のフレーム下部領域６５２Ｂにねじ等を用いて固定されている。
【０１１９】
ここで、ユニット１３０Ａの下部には、当該ユニット１３０Ａをユニット１３０Ｂに固定するための鍵６７０が設けられている。ユニット１３０Ｂがフレーム６５２のフレーム下部領域６５２Ｂに固定されている状態において、フレーム上部領域６５２Ａにユニット１３０Ａを挿入し、ロック機構部６７０をロックすることにより、ユニット１３０Ａとユニット１３Ｂとを一体に係合することができる。
【０１２０】
図３７は、図３６のロック機構部６７０を前方から見た状態を示す正面図である。ロック機構部６７０は、例えば、図３７に示すように、ユニット１３０Ｂの筺体に設けられており、外部から挿入される鍵を用いて回動することが可能な回動片６７１を有している。所定の鍵を鍵穴６７２に挿入して回動し、回動片６７１を回動させることにより、回動片６７１の回動位置に応じて、ユニット１３０Ａを、ユニット１３０Ｂに対して、ロック状態又はロック解除状態とするようになっている。具体的には、ロック機構部６７０は、外部から鍵穴６７２に挿入された鍵により、回動片６７１をロック位置（図３７において破線で示す）又はロック解除位置（図３７において実線で示す）へ回動可能となっており、回動片６７１がロック位置まで回動した場合、当該回動片６７１は、ユニット１３０Ａの筺体に形成された係合部１３１Ａ（例えば溝状の部位）に係合され、この係合によって、フレーム上部領域６５２Ａ（図３６）に挿入されたユニット１３０Ａが前方に引き抜かれないようにロックすることができる。ユニット１３０Ｂはねじ等によってフレーム６５２に固定されていることにより、ユニット１３０Ａがユニット１３０Ｂにロックされた状態は、ユニット１３０Ａがフレームから引き抜かれない状態にロックされた状態となる。
【０１２１】
また、ロック機構部６７０の回動片６７１をロック解除位置へ回動させると、当該回動片６７１がユニット１３０Ａの係合部から離間することにより、フレーム上部領域６５２Ａに挿入されているユニット１３０Ａのロックが解除され、当該ユニット１３０Ａは、前方へ引き抜くことが可能な状態となる。
【０１２２】
このように鍵を用いてロック機構部６７０を開錠又は施錠する構成を用いることにより、ユニット１３０Ａが不正に取り外されることを防止することができる。また、ユニット１３０Ａとユニット１３０Ｂとをロック機構部６７０によってロック状態又はロック解除状態とすることにより、ユニット１３０Ａとユニット１３０Ｂとを必要に応じて分離可能とすることができる。ユニット１３０Ａとユニット１３０Ｂとを分離可能とすることにより、故障個所がユニット１３０Ａ又はユニット１３０Ｂのいずれかにある場合、これらを分離して故障個所のある側のみを交換することができる。これにより、余分な部品の交換が不要になる。また、ユニット１３０Ａを前方から抜き差し可能な構成とすることにより、容易にユニット１３０Ａの交換、修理を行うことができる。
【０１２３】
なお、図３６に示す構成において、ユニット１３０Ｂを交換、修理する場合、ユニット１３０Ａをフレーム６５２から取り外した状態において、ユニット１３０Ｂをフレーム６５２に固定しているねじ等の固定手段を外すことにより、ユニット１３０Ｂをフレーム６５２から取り外すことができる。
【０１２４】
図３６に示した他の実施の形態に係るサンド２０においては、ユニット１３０Ａのみを前方から抜き差し可能とする構成について述べたが、これに限られるものではなく、ユニット１３０Ａ及び１３０Ｂをそれぞれ個別に前方から抜き差し可能とするようにしてもよい。
【０１２５】
すなわち、図３８に示すように、ユニット１３０Ａとユニット１３０Ｂとを分離可能とし、それぞれをフレーム６５２に対して、前方から個別に抜き差し可能とする構成とする。フレーム６５２には、ユニット１３０Ａを前方から抜き差し可能とするガイド部（図示ぜず）と、ユニット１３０Ｂを前方から抜き差し可能とするガイド部（図示せず）がそれぞれ設けられている。図３８において、ユニット１３０Ａの上部には、フレーム６５２に対してユニット１３０Ａをロック状態又はロック解除状態とすることが可能なロック機構部６８０が設けられたおり、ユニット１３０Ａを前方からフレームに挿入した状態で、当該ロック機構部６８０に所定の鍵を差し込んで施錠することにより、ユニット１３０Ａをフレームに対してロックすることができる。このロック機構部６８０は、図３７に示したロック機構部６７０と同様の構成を有し、その回動片を回動させてフレーム６５２の一部に形成された係合部（例えば溝状の部位）に係合させることにより、ユニット１３０Ａをフレーム６５２に対してロック状態とすることができる。
【０１２６】
また、ユニット１３０Ａの下部にもロック機構部６７０が設けられている。このロック機構部６７０は、図３６について上述したロック機構部６７０と同一のものである。このロック機構部６７０によって、ユニット１３０Ａとユニット１３０Ｂとを係合状態とする共に、必要に応じてこれらを分離可能とすることができる。
【０１２７】
具体的には、ユニット１３０Ａは、その上部に設けられたロック機構部６８０をロック状態とすることにより、当該ユニット１３０Ａをフレームに固定すると共に、下部のロック機構部６７０をロック状態とすることにより、当該ユニット１３０Ａとユニット１３０Ｂとを互いに係合状態にロックすることができる。
【０１２８】
ユニット１３０Ａを取り外す場合、上部のロック機構部６８０を開錠することにより、ユニット１３０Ａのフレームに対するロックを解除すると共に、下部のロック機構部６７０を開錠することにより、ユニット１３０Ａとユニット１３０Ｂとの係合状態を解除して、これらを分離状態とする。これにより、ユニット１３０Ａを前方に引き出すことができる。
【０１２９】
また、図３８の構成において、ユニット１３０Ｂは、前方からフレーム６５２に対して抜き差しすることができるようになされており、ユニット１３０Ａ及びユニット１３０Ｂをフレーム６５２に差し込んだ状態において、ユニット１３０Ｂの上部に設けられたロック機構部６７０（すなわち、ユニット１３０Ａの下部に設けられたロック機構部）を施錠することにより、ユニット１３０Ｂをユニット１３０Ａに対してロック状態とすることができる。ユニット１３０Ｂを交換、修理する場合、ユニット１３０Ｂの上部に設けられたロック機構部６７０を開錠してロック解除状態とすることにより、ユニット１３０Ｂとユニット１３０Ａとの係合状態を解除し、ユニット１３０Ｂをフレームから前方に引き出す。これにより、ユニット１３０Ｂをユニット１３０Ａから分離して、当該ユニット１３０Ｂのみを取り外すことができる。なお、下側のユニット１３０Ｂのみを取り外した場合、上側のユニット１３０Ａは、フレーム６５２に吊下された状態となる。
【０１３０】
このように、ユニット１３０Ａとユニット１３０Ｂとの間をロック機構部６７０によってロック状態又はロック解除状態とすることにより、ユニット１３０Ａとユニット１３０Ｂとを必要に応じて分離可能とすることができる。ユニット１３０Ａとユニット１３０Ｂとを分離可能としたことにより、故障個所がユニット１３０Ａ又はユニット１３０Ｂのいずれかにある場合、これらを分離して故障個所のある側のみを交換することができる。特に、図１６に示す構成の場合、ユニット１３０Ｂも前方から抜き差し可能となっていることにより、ユニット１３０Ｂに故障箇所がある場合においても、ユニット１３０Ｂのみをフレーム６５２から容易に取り外してその修理、交換を行うことができる。
【０１３１】
なお、上述の各実施の形態（図３５、図３６及び図３８）においては、図１２及び図１３に示したように、排出路１２５及び端数用払出口４０が連結部１２５Ａによってユニット１３０Ｂ側の計数部９０側に固定されている構成（すなわち、排出路１２５及び端数用払出口４０がユニット１３０Ｂに設けられている構成）について述べたが、これに限られるものではなく、排出路１２５及び端数用払出口４０をユニット１３０Ａ側に設けるようにしてもよい。この場合、排出路１２５の上部に設けられたパチンコ球を導入するための開口部を、ユニット１３０Ａの下端部（例えば、端数用貯留部７１の下端部）に固定する。これにより、排出路１２５及び端数用払出口４０は、ユニット１３０Ａ側に設けられる。このような構成とすることにより、端数用の払い出しに関する構成（供給部７０、搬送路７６、端数用貯留部７１等）と、計数用の構成（計数部９０等）を別体のユニットで構成することが可能となる。すなわち、パチンコ球について、端数の払い出しに関する一連の機能を有する構成（ユニット１３０Ａ）と、計数に関する機能を有する構成（ユニット１３０Ｂ）とを別体とすることにより、機能ごとに修理、交換を行うことが可能となり、一段とメンテナンスを行い易くすることができる。
【０１３２】
図３９は、サンド２０の制御基板６６及び当該制御基板６６によって制御される構成部品を示すブロック図である。メインＣＰＵ（central  processing  unit）２２１は、ＲＯＭ（read  only  memory）２２２に格納された制御部ログラムを読み出してパチンコ球の計数及びその他の処理を実行するようになされている。処理に係る各種データは、ＲＡＭ（random  access  memory）２２３に格納される。
【０１３３】
メインＣＰＵ２２１は、情報カードリーダライタ６２を介して情報カードから読み取った金額データを残高データとしてＲＡＭ２２３に格納する。メインＣＰＵ２２１は、この残高データと、操作ユニット３４から出力される操作結果に基づいて、遊技者が指定した金額が残高データよりも小さい場合には、指定された金額分のパチンコ球を払い出すためのコマンドを、Ｉ／Ｏ基板６７を介してパチンコ機１０に送出する。パチンコ機１０では、サンド２０から送出されたコマンドに基づいて、パチンコ球を上皿１２に払い出す。この場合、メインＣＰＵ２２１は、残高データから払い出されたパチンコ球分の金額を減算することにより、残高データを更新する。
【０１３４】
操作ユニット３４には、情報カードを返却するボタンも表示されており、遊技者がこの操作ボタンを操作することにより、メインＣＰＵ２２１は、情報カードリーダライタ６２に挿入されている情報カードをカード挿入口３２から返却する。
【０１３５】
また、メインＣＰＵ２２１は、紙幣識別装置（ビルバリ）６１から出力される紙幣識別結果を残高データとしてＲＡＭ２２３に格納する。メインＣＰＵ２２１は、この残高データと、操作ユニット３４から出力される操作結果に基づいて、遊技者が指定した金額が残高データよりも小さい場合には、指定された金額分のパチンコ球を払い出す旨のコマンドをパチンコ機１０に送出すると共に、残高データから払い出されたパチンコ球分の金額を減算することにより、残高データを更新する。
【０１３６】
また、メインＣＰＵ２２１は、カメラ部３５の赤外ＬＥＤ基板３５Ａを監視用投光器として用い、赤外ＬＥＤ基板３５Ａの赤外ＬＥＤからの赤外光を遊技者で反射させ、これをＣＭＯＳカメラ３５Ｂにおいて撮像する。メインＣＰＵ２２１は、ＣＭＯＳカメラ３５Ｂにおいて撮像された画像をＲＯＭ２２２に格納し、この画像に基づいて、遊技者の存在を検出する。この検出処理は常時行われる。遊技者の状態が非検出（離席）状態に変化して、カード挿入口３２から挿入された情報カードの金額データに残高がある場合、又は紙幣挿入口３３から挿入された紙幣の金額データに残高がある場合、メインＣＰＵ２２１は、スピーカ１８１を介して、警告音や警告音声を発することにより、離席しようとする遊技者に対して注意を喚起することができる。警告音声としては、「カードを忘れています」といった音声が発せられる。
【０１３７】
また、メインＣＰＵ２２１は、非接触ＩＣカードリーダライタ３６を介して、非接触ＩＣカードとの間で非接触通信を行うようになされている。この通信の方式は、例えば、キャリア周波数が１３．５６ＭＨｚの電磁誘導方式である。メインＣＰＵ２２１は、非接触ＩＣカードリーダライタ３６を介して非接触ＩＣカードから読み取った金額データに応じた数のパチンコ球を払い出す旨のコマンドをパチンコ機１０に送出すると共に、非接触ＩＣカードの残高データを書き換える。
【０１３８】
なお、非接触ＩＣカードに代えて、同様の機能を備えた携帯電話機を用いるようにすることもできる。この場合、携帯電話機において、非接触ＩＣカードリーダライタ３６との間で通信を行うための機能を備える。この機能としては、例えば、非接触ＩＣカード（例えば、フェリカ：フェリカはソニー社の登録商標）機能等が挙げられる。この携帯電話機には、非接触ＩＣカードと同様にして、サンド２０の非接触ＩＣカードリーダライタ３６との間で通信を行うための、近距離通信部として、非接触ＩＣカード用チップやアンテナを備える。係る携帯電話機は、非接触ＩＣカードの場合と同様にして、予めｔｙ会員登録を行い、その登録内容（会員情報、使用可能な金額データ等）を非接触ＩＣカードリーダライト３６との間で送受信することにより、必要な数のパチンコ球の払い出しを受けることができる。
【０１３９】
また、メインＣＰＵ２２１は、Ｉ／Ｏ基板６７を介して、パチンコ機、ホールコンピュータ又は金融サーバ（後述）との間で通信を行うようになっている。
【０１４０】
また、メインＣＰＵ２２１は、駆動回路２３１を介してソレノイド１２２を動作させることにより、端数用貯留部７１から端数用のパチンコ球を払い出すことができる。また、メインＣＰＵ２２１は、センサ７１Ａから出力されるパチンコ球の検出結果に基づいて、端数用貯留部７１から払い出されるパチンコ球の数を検知することができる。これらにより、メインＣＰＵ２２１は、端数用貯留部７１から所定数のパチンコ球を払い出すことができる。
【０１４１】
また、メインＣＰＵ２２１は、計数部９０に設けられたセンサ９１Ａから出力されるパチンコ球の検出結果に基づいて、計数部９０において通過したパチンコ球の数を計数することができる。
【０１４２】
また、メインＣＰＵ２２１は、駆動回路２３３を介して、スピーカ１８１から音声や効果音を出力することができる。
【０１４３】
次に、パチンコ機１０の回路構成について説明する。図４０は、パチンコ機１０の回路構成を示すブロック図である。図４０に示すように、本実施形態におけるパチンコ遊技機１０の制御回路は、主に、遊技制御手段としての主制御回路１０Ａと、演出制御手段としての副制御回路１０Ｂとから構成される。主制御回路１０Ａは、遊技全般の制御を行うものであり、副制御回路１０Ｂは、遊技の進行に応じた演出の制御（例えば、画像表示制御、音声出音制御、装飾ランプ制御等）を行うものに位置付けられている。
【０１４４】
センサ群１０Ｃは、入賞球センサや各部の球通過センサなどからなり、主制御回路１０Ａは、センサからの検出結果に基づいて、入賞などを判断し、遊技を進める。また、表示手段１０Ｄは、スピーカ、装飾ランプ、液晶表示装置などを含み、遊技の進行に応じて副制御回路１０Ｂから出力される演出用の駆動信号に基づいて動作する。
【０１４５】
払出・発射部１０Ｅは、主制御回路１０Ａからの制御信号により、パチンコ球の払出しや遊技盤への発射を行う。すなわち、遊技の進行に応じた数のパチンコ球が払出・発射部１０Ｅによって払い出される。
【０１４６】
主制御回路１０Ａには、インターフェイス（ＩＦ）１０Ｆを介してサンド２０及びコールコンピュータが接続されている。主制御回路１０Ａは、サンド２０からの払出し要求に応じて、払出・発射部１０Ｅを制御することにより、上皿１２にパチンコ球の払出しを行う。これにより、サンド２０からの払出し要求に応じた数のパチンコ球が払い出される。例えば、サンド２０において受け付けた紙幣や情報カードの金額に応じたパチンコ球の貸出しが、主制御回路１０Ａからの指示により、払出・発射部１０Ｅにおいて実行される。
【０１４７】
次に、金融サーバについて説明する。図４１は、サンド２０が設置された遊技店と金融サーバ３００とを示す略線的ブロック図である。図４１に示すように、サンド２０は、パチンコ機１０及び遊技店に設置されたホールコンピュータ５００に接続されていると共に、通信網２００を介して外部の金融サーバ３００にも接続されている。
【０１４８】
サンド２０は、ホールコンピュータ５００との間では、遊技に関する情報、ホールが遊技者（情報カードや非接触ＩＣカードの所有者）に対して貸し出したパチンコ球（遊技媒体）の数に関する情報、遊技者がサンド２０を介してパチンコ球を計数した結果に関する情報等を送受信する。
【０１４９】
また、サンド２０は、ホールコンピュータ５００との間の通信路とは異なる通信路（通信網２００）を介して、外部の金融サーバ３００との間で、遊技者のクレジット情報等を送受信する。図４２は、サンド２０の制御基板６６及びＩ／Ｏ基板６７を示すブロック図である。図４２に示すように、Ｉ／Ｏ基板６７と制御基板６６とは、コネクタを介して直接接続されており、Ｉ／Ｏ基板６７はホールコンピュータ５００と接続され、制御基板６６は、インターフェイス６８及び外部の通信網２００を介して、金融サーバ３００と接続されている。
【０１５０】
制御基板６６のメインＣＰＵ２２１は、ホールコンピュータ５００との間での通信は、Ｉ／Ｏ基板６７を介して行う共に、金融サーバ３００との間の通信は、Ｉ／Ｏ基板６７を介さずに（すなわち、ホールコンピュータ５００を介さずに）、直接行う。これにより、例えば、遊技者の暗証番号といった決済情報は、サンド２０から直接金融サーバ３００に送信されることにより、情報のセキュリティを向上させることができる。
【０１５１】
図４３は、メインＣＰＵ２２１による遊技媒体の貸出処理手順を示すフローチャートである。この処理は、メインＣＰＵ２２１によって常時実行されている。図４３に示すように、メインＣＰＵ２２１は、ステップＳ１１において、計数済のパチンコ球数に基づく払出指示があったか否かを判断する。この処理は、前回までの貸出処理において、ステップＳ２０（後述）で計数されＲＡＭ２２３に記憶されたパチンコ球数について、当該数の払出しを行う指示が操作ユニット３４を介して入力されたか否かを判断する処理である。
【０１５２】
因みに、図４４は、ステップＳ１１において操作ユニット３４のタッチパネルＬＣＤに表示される選択用の表示内容を示す平面図である。図４４に示すように、操作ユニット３４のタッチパネルＬＣＤには、計数済のパチンコ球数に基づく払出指示を選択するためのアイコンＡ１１と、現金（価値媒体）に基づく払出指示を選択するためのアイコンＡ１２が表示される。遊技者はこれらのアイコンのいずれかを押圧操作することにより、いずれかを指定することができる。
【０１５３】
計数済のパチンコ球数に基づく払出指示があった場合、メインＣＰＵ２２１は、図４３のステップＳ１１からステップＳ１２に処理を移して、パチンコ機１０にパチンコ球の払出しを指示するコマンドを送信することにより、パチンコ機１０において、計数済のパチンコ球数と同数のパチンコ球をパチンコ機１０の上皿１２に払い出すように制御する。なお、遊技者が操作ユニット３４を操作することにより、払出数を指定した場合、ＲＡＭ２２３に記憶されているパチンコ球数の範囲で指定された数のパチンコ球を払い出すようにしてもよい。
【０１５４】
これに対して、ステップＳ１１において計数済のパチンコ球数に基づく払出指定がなかった場合、メインＣＰＵ２２１は、ステップＳ１１からステップＳ１３に処理を移して、価値媒体の投入があったか否かを判断する。価値媒体とは、カード挿入口３２に挿入される情報カード、紙幣挿入口３３に挿入される紙幣、又は非接触ＩＣカードリーダライタ３６にかざされる非接触ＩＣカードを意味する。情報カードがカード挿入口３２に挿入されると、情報カードリーダライタ６２によって情報カードから金額データが読み出される。紙幣が紙幣挿入口３３に挿入されると、紙幣識別装置（ビルバリ）６１によって紙幣の金額が識別される。また、非接触ＩＣカードリーダライタ３６に非接触ＩＣカードがかざされると、非接触ＩＣカードリーダライタ３６によって非接触ＩＣカードの金額データが読み取られる。これらの読み取られた金額データは、ＲＡＭ２２３に記憶される。
【０１５５】
価値媒体が挿入された場合、メインＣＰＵ２２１は、ステップＳ１３において肯定結果を得ることにより、ステップＳ１３からステップＳ１４へ処理を移して、払出しに係る金額の指定があったか否かを判断する。ここで否定結果が得られると、このことは、遊技者が操作ユニット３４を介して払い出すパチンコ球の金額を指定していないこと（すなわち、金額データ全額分の払出しを指定したこと）を意味している。ここで、情報カード又は紙幣が挿入されている場合には、情報カード又は紙幣を挿入した後に、遊技者が操作ユニット３４を操作することにより、金額を指定することができ、また、非接触ＩＣカードをかざして金額データを読み取らせる場合には、非接触ＩＣカードをかざす前に、遊技者が操作ユニット３４を操作することにより、金額データを指定することができる。情報カード又は紙幣が挿入された場合にあっては、メインＣＰＵ２２１は、読み取った金額データを一旦ＲＡＭ２２３に格納した後、遊技者によって指定された金額がＲＡＭ２２３に格納された金額の範囲内である場合には、ＲＡＭ２２３の金額データを指定された金額データに書き換える。
【０１５６】
一方、非接触ＩＣカードがかざされる場合、先に金額が指定されることにより、メインＣＰＵ２２１は、指定された金額データをＲＡＭ２２３に設定し、その後非接触ＩＣカードがかざされて当該非接触ＩＣカードとの間で通信を行う際に、ＲＡＭ２２３に設定されている金額が非接触ＩＣカードに格納されているか否かを判断し、格納されている場合には、非接触ＩＣカードに格納されている金額から、ＲＡＭ２２３に設定された金額を減算することにより、非接触ＩＣカードの金額を書き換える。これに対して、非接触ＩＣカードに格納されている金額が、ＲＡＭ２２３に設定された金額に満たない場合、メインＣＰＵ２２１は、非接触ＩＣカードの金額データを書き換えず、操作ユニット３４にエラー表示を行うことにより、払出処理を中止する。
【０１５７】
このような処理がステップＳ１４において実行されることにより、ＲＡＭ２２３には、実際に価値媒体から引き出された金額分のデータが記憶されることになる。因みに、ＲＡＭ２２３において、既に残高データがある場合（過去の計数結果や前回の価値媒体の挿入時の残高）、メインＣＰＵ２２１は、これらの残高データに、価値媒体から引き出された金額分のデータを加算することになる。
【０１５８】
そして、メインＣＰＵ２２１は、金額指定が有った場合には、ステップＳ１４からステップＳ１５へ処理を映して、パチンコ機１０にコマンドを送信することにより、指定金額分のパチンコ球を、パチンコ機１０においてその上皿１２に払い出すように制御する。払い出された金額データは、ＲＡＭ２２３の特定の領域に払出履歴データとして残される。そして、メインＣＰＵ２２１は、ステップＳ１９へ処理を映す。
【０１５９】
これに対して、金額指定がなかった場合、メインＣＰＵ２２１は、ステップＳ１４からステップＳ１６へ処理を映して、挿入された全金額分のパチンコ球をパチンコ機１０を介して払い出す。払い出された金額データは、ＲＡＭ２２３の特定の領域に払出履歴データとして残される。そして、メインＣＰＵ２２１は、ステップＳ１７へ処理を映す。
【０１６０】
なお、遊技者が価値媒体を投入しなかった場合、メインＣＰＵ２２１は、上述のステップＳ１３において否定結果を得ることにより、ステップＳ１３からステップＳ１９へ処理を映す。以上により、パチンコ球の払出（貸出）処理は終了する。
【０１６１】
ここで、ステップＳ１２、ステップＳ１５又はステップＳ１６におけるパチンコ球の払出し処理について説明する。これらのステップにおける払出処理は、いずれも同様の処理手順となる。図４５は、払出処理の処理手順を示すフローチャートである。サンド２０のメインＣＰＵ２２１は、図４３のステップＳ１２、ステップＳ１５又はステップＳ１６に処理を移すと、図４５に示す払出処理を実行し、ステップＳ３１において、払出し球数を判断する。具体的には、遊技者により指定された金額分のパチンコ球の貸出し数（払出し数）を判断する。
【０１６２】
そして、メインＣＰＵ２２１は、ステップＳ３２に処理を移して、判断された払出し数に端数が有るか否かを判断する。端数とは、パチンコ機１０において１回の払出し数として決められている数（例えば、２５球）で割り切れない場合の端数を意味する。
【０１６３】
端数が有る場合、メインＣＰＵ２２１は、ステップＳ３２において肯定結果を得ることにより、ステップＳ３３へ処理を移して、端数分を端数用貯留部７１から払い出す。具体的には、端数用貯留部７１のソレノイド１２２を駆動させることにより、端数分のパチンコ球を、端数用払出口４０から払い出す。
【０１６４】
ステップＳ３３において端数分を払い出した後、又は、ステップＳ３２において端数がないと判断された場合（ＮＯ）、メインＣＰＵ２２１は、ステップＳ３４において、パチンコ機１０へ払出しコマンドを送信する。この払出しコマンドにより指定される球数は、パチンコ機１０において１回に払い出される数（例えば、２５球）で割り切れる数である。
【０１６５】
このコマンドを受信したパチンコ機１０では、指定された数のパチンコ球を上皿１２へ払い出すことになる。
【０１６６】
このように、端数がある場合には、端数分を端数用貯留部７１から払い出し、パチンコ機１０において１回の払出しで払い出すことのできる数（例えば、２５球）で割り切れる数のパチンコ球がパチンコ機１０において払い出される。
メインＣＰＵ２２１は、ステップＳ３４の処理の後、図４３の処理ルーチン（ステップＳ１９）へ処理を移す。
【０１６７】
図４３のステップＳ１９において、メインＣＰＵ２２１は、計数部９０にパチンコ球が投入されたか否かを判断する。この判断は、計数部９０に設けられた計数センサによってパチンコ球が検出されたか否かによって判断される。
【０１６８】
パチンコ球が検出された場合、メインＣＰＵ２２１は、ステップＳ１９からステップＳ２０へ処理を移し、計数部９０のセンサによって検出されるパチンコ球の数を計数する。そして、メインＣＰＵ２２１は、ステップＳ２１において、計数結果（計数されたパチンコ球数）をＲＡＭ２２３に記憶する。
【０１６９】
以上の処理手順により、パチンコ球の計数処理は終了する。次に、メインＣＰＵ２２１は、ステップＳ２２において、離席警告処理を実行する。図４６は、離席警告処理手順を示すフローチャートである。メインＣＰＵ２２１は、ステップＳ４１において、カメラ部３５による撮像結果を分析し、続くステップＳ４２において、遊技者が離籍したか否かを判断する。遊技者が離席した場合、メインＣＰＵ２２１は、ステップＳ４２からステップＳ４３へ処理を移して、情報カード又は現金（金額データ）が残っているか否かを判断する。情報カード又は現金（金額データ）が残っている状態とは、ＲＡＭ２２３に記憶されている金額データに残高が残っている状態を意味する。
【０１７０】
金額データが残っている場合、メインＣＰＵ２２１は、ステップＳ４３からステップＳ４４へ処理を移して、駆動回路１３３によりスピーカ１８１から警告音や警告音声を発生させ、当該離席警告処理を終了する。これにより、残高が残っているにも関わらず遊技者が離席した場合には、遊技者に注意を促すことができる。
【０１７１】
また、メインＣＰＵ２２１は、ステップＳ４２において遊技者が離席していないと判断した場合又はステップＳ４３において残高が残っていないと判断した場合、当該離席警告処理を終了し、図４３の処理ルーチン（ステップＳ２３）へ処理を移す。
【０１７２】
図４３のステップＳ２３において、メインＣＰＵ２２１は、ＲＡＭ２２３に記憶されている残高を、このとき挿入されている情報カード又は非接触ＩＣカードに書き込む指示があったか否かを判断する。この処理は、操作ユニット３４に書込みを指示するためのアイコンを表示し、このアイコンが押圧操作されたか否かによって判断する処理である。
【０１７３】
書込み指示があった場合、メインＣＰＵ２２１は、ステップＳ２３からステップＳ２４へ処理を移して、カード挿入口３２に情報カードが挿入されている場合には、当該情報カードにＲＡＭ２２３の残高データを書き込んで情報カードの残高データに加算することにより、情報カードの残高データを更新させる。また、情報カードが挿入されていない場合、メインＣＰＵ２２１は、操作ユニット３４に情報カードを挿入するか又は非接触ＩＣカードをかざすことを促す表示を行う。遊技者がカード挿入口３２に情報カードを挿入したか、又は非接触ＩＣカードリーダライタ３６に非接触ＩＣカードをかざした場合、メインＣＰＵ２２１は、これらのカードに残高データを書き込む。メインＣＰＵ２２１は、ステップＳ２４の処理の後、又はステップＳ２３において書込み指示がなかったと判断した場合、上述のステップＳ１１に戻って、同様の処理を繰り返す。
【０１７４】
以上説明したように、メインＣＰＵ２２１は、貸出処理（図４３）、払出処理（図４５）及び離席警告処理（図４６）を実行することにより、サンド２０においてパチンコ球の貸出（払出）やパチンコ球の計数を行うことができる。
【０１７５】
パチンコ球の貸出処理においては、サンド２０において計数された結果を用いたパチンコ球の貸出を行うことにより、遊技者は、パチンコ機１０から払い出されたパチンコ球を、パチンコ機１０から離れたホールの計数装置へパチンコ球を運んで計数するといった煩雑な手間をかけずに、情報カードや非接触ＩＣカードに計数結果を書き込むことができる。また、計数された結果に基づいてパチンコ球の払出を受けることにより、パチンコ機１０から離れたホールの計数装置へパチンコ球を運んで計数するといった煩雑な手間をかけずに、払い出されたパチンコ球数に応じた再遊技を行うことができる。
【０１７６】
また、残高があるにも関わらず、遊技者が離席しようとした場合には、サンド２０に設けられたスピーカ１８１から出力される警告音により遊技者に注意を促すことができる。
また、遊技者は、残高データを情報カードや非接触ＩＣカードに書き込むこと又は再遊技のためのパチンコ球払出しに利用することができることにより、パチンコ球収納箱をホールの計数装置へ運ぶといった遊技者やホールスタッフの手間を軽減することができる。
【０１７７】
また、遊技者は、投入された価値媒体に基づくパチンコ球の払出し、又は計数結果に基づくパチンコ球の払出しを選択することができることにより、例えば、計数したパチンコ球のデータはそのまま残して、これに価値媒体から引き出した金額データを加算して使用するといった柔軟な利用方法を選択することが可能となる。
【０１７８】
次に、金融サーバ３００との情報の送受信について説明する。図４７は、サンド２０（メインＣＰＵ２２１）と金融サーバ３００との間の情報のやり取りを示すタイミングチャートである。
【０１７９】
図４７に示すように、サンド２０において、遊技者が情報カードとしてクレジットカードをカード挿入口３２から挿入すると共に、操作ユニット３４を操作して、クレジットカードを利用したパチンコ球の貸出しを要求する操作を行うと、制御基板６６のメインＣＰＵ２２１は、情報カードリーダライタ６２を介してクレジットカードからカード情報を読み取ると共に、操作ユニット３４の表示により、遊技者に対して、暗証番号の入力を促す。
【０１８０】
遊技者が操作ユニット３４を操作して暗証番号を入力すると、メインＣＰＵ２２１は、カード情報及び暗証番号を金融サーバ３００へ送信する（ステップＳ１０１）。金融サーバ３００は、送信されたカード情報及び暗証番号に基づいて、認証処理を行う（ステップＳ１０２）。認証処理の結果、正規のユーザであることが認証されると、金融サーバ３００は、認証完了（認証ＯＫ）の情報をサンド２０に送信する（ステップＳ１０３）。
【０１８１】
認証完了の情報を受け取ったサンド２０のメインＣＰＵ２２１は、操作ユニット３４の表示により遊技者に対して認証が完了した旨を伝えると共に、必要な金額（パチンコ球の球数）の入力を促す。この場合、予め決められた数単位での入力を促すことになる。
【０１８２】
遊技者が操作ユニット３４を操作して、金額（球数）を指定すると、メインＣＰＵ２２１は、指定された金額（球数を指定した場合には、当該球数に応じた金額）の振込を要求する振込要求を金融サーバ３００に送信する（ステップＳ１０４）。
【０１８３】
金融サーバ３００は、サンド２０から受け取った振込要求に応じて、指定された金額を、遊技者の指定の口座から遊技店の口座へ振り込む（ステップＳ１０５）。この振込処理が完了すると、金融サーバ３００は、振込完了情報を、サンド２０へ送信すると共に（ステップＳ１０６）、ホールコンピュータ５００へ送信する（ステップＳ１０７）。
【０１８４】
サンド２０のメインＣＰＵ２２１は、金融サーバ３００からの振込完了情報に基づいて、パチンコ機１０にパチンコ球の払出しを指示するコマンドを送信する。パチンコ機１０は、このコマンドに基づいて、指定された数のパチンコ球を上皿１２へ払い出す。これにより、遊技者がクレジットカードを利用してパチンコ球の貸出しを受けることができる。なお、ホールコンピュータ５００は、金融サーバ３００からの振込完了情報に基づいて、該当するサンド２０及びパチンコ機１０に関する履歴情報を更新する。
【０１８５】
このように、本実施の形態においては、サンド２０からホールコンピュータ５００及び金融サーバ３００に対する通信を個別に行うことにより、遊技者のクレジットカードに関する情報をホールコンピュータ５００を介さずに直接金融サーバ３００に送信することができ、セキュリティを一段と高めることが可能となる。
【０１８６】
（遊技用装置の概要）
本実施の形態における遊技用装置は、遊技機（パチンコ機１０）に併設される遊技用装置であって、第１の筐体４０５と、遊技機（パチンコ機１０）から払い出された遊技媒体（パチンコ球）を投入する投入部（案内皿４１４）と、前記投入部（案内皿４１４）に投入された前記遊技媒体（パチンコ球）を、前記遊技機（パチンコ機１０）に併設された遊技媒体貸出装置（サンド２０）に設けられた計数部９０に導くための計数用通路５８０と、前記遊技媒体貸出装置（サンド２０）から払い出された、前記遊技機（パチンコ機１０）から払出し可能な所定数の遊技媒体数に満たない端数分の遊技媒体（パチンコ球）を、遊技者に払い出すための端数用通路５９０と、前記第１の筐体４０５を、前記遊技媒体貸出装置（サンド２０）に対して着脱可能とする着脱部（装着部４０１）と、前記着脱部（装着部４０１）により前記第１の筐体４０５が前記遊技媒体貸出装置（サンド２０）に対して装着された装着状態を保持するためのロック機構部（回動部材５５１）と、前記装着状態が前記ロック機構部（回動部材５５１）によってロックされた状態において、前記計数用通路５８０における遊技媒体（パチンコ球）の通過を許容すると共に、前記装着状態がロック解除された状態において、前記計数用通路５８０における遊技媒体（パチンコ球）の通過を阻止する第１の阻止部５５７と、前記装着状態が前記ロック機構部（回動部材５５１）によってロックされた状態において、前記端数用通路５９０における前記遊技媒体（パチンコ球）の通過を許容すると共に、前記装着状態がロック解除された状態において、前記計数用通路５８０における遊技媒体（パチンコ球）の通過を阻止する第２の阻止部５７５とを備えることを特徴としている。
【０１８７】
この遊技用装置においては、第１の阻止部５５７及び第２の阻止部５７５をロック操作又はロック解除操作に連動させる構成としたことにより、簡単な操作によって、計数用通路及び端数用通路側に残っている遊技媒体（パチンコ球）の落下を防止することができる。
【０１８８】
なお、計数用通路５８０の底面部には、遊技媒体（パチンコ球）が通過するためのリブ状の突起部（リブ５８２Ａ、５８２Ｂ）を遊技媒体（パチンコ球）の通過方向に亘って設け、この突起部（リブ５８２Ａ、５８２Ｂ）の上を遊技媒体（パチンコ球）が通過するようにしてもよい。このようにすれば、計数用通路５８０の底面が遊技媒体（パチンコ球）の通過に伴って凹んでいくことを防止することができる。また、突起部（リブ５８２Ａ、５８２Ｂ）は、交換可能とすることが望ましい。これにより、突起部（リブ５８２Ａ、５８２Ｂ）を交換することで、突起部（リブ５８２Ａ、５８２Ｂ）についても、凹みのない状態を保つことができる。
【０１８９】
また本実施の形態における遊技用装置は、前記構成に加えて、前記ロック機構部（回動部材５５１）は、前記ロック解除状態において、前記遊技媒体貸出装置（サンド２０）側に設けられた被係止部２０Ｂを避ける位置に移動すると共に、前記ロック状態において、前記被係止部２０Ｂを係止する位置に移動する係止部５５２を備え、前記ロック解除状態において、前記筐体４０５をスライド移動させることにより、前記遊技媒体貸出装置（サンド２０）に対して装脱可能とすることを特徴としている。
【０１９０】
この遊技用装置においては、遊技媒体貸出装置（サンド２０）に対して、第１の筐体４０５を平行移動させるだけでこれを遊技媒体貸出装置（サンド２０）に装着し、ロックすることができる。このように平行移動によって装着することができることにより、例えば、第１の筐体４０５を設置するためのスペースの上下方向に余裕がない場合であっても、第１の筐体４０５を傾けることなく、これを遊技媒体貸出装置（サンド２０）に装着することができる。第１の筐体４０５には、計数用通路５８０や、端数用通路５９０といった遊技媒体（パチンコ球）が留まる部位が設けられていることにより、この部位に残っている遊技媒体（パチンコ球）が、第１の筐体４０５から零れ落ちることを防止することができる。
【０１９１】
また本実施の形態における遊技用装置は、前記構成に加えて、前記ロック機構部（回動部材５５１）は、前記遊技媒体貸出装置（サンド２０）側に設けられた前記被係止部２０Ｂに対して、所定の回動軸５５３を回動中心とした回動により一端側の前記係止部５５２が係合する回動部材５５１と、前記装着状態を前記ロック状態とするロック操作又は前記装着状態を前記ロック解除状態とするロック解除操作に応じて、前記回動部材５５１を回動させる回動機構部（鍵部４１０）とを有し、前記回動部材５５１の前記一端側に対して前記回動軸５５３を挟んで対向する他端側には前記第１の阻止部５５７が設けられ、前記第１の筐体４０５の前記端数用通路５９０の入口（流入口４４１）から前記第２の阻止部５７５までの距離は、遊技媒体（パチンコ球）の複数個分に設定され、前記第１の筐体４０５は、前記ロック操作又は前記ロック解除操作に伴って、前記回動部材５５１及び前記第２の阻止部５７５を連動して動作させるリンク機構部（当接部５５６、５７１）を備え、前記ロック解除操作に伴う前記回動部材５５１のロック解除方向への回動に応じて前記第１の阻止部５５７が前記計数用通路５８０に入り込むことで前記計数用通路５８０における遊技媒体（パチンコ球）の通過を阻止し、前記ロック解除操作に伴って前記第２の阻止部５７５が前記端数用通路５９０に入り込むことで前記端数用通路５９０における遊技媒体（パチンコ球）の通過を阻止することを特徴としている。
【０１９２】
この遊技用装置においては、第１の阻止部５５７及び第２の阻止部５７５を、前記第１の筐体４０５を前記遊技媒体貸出装置（サンド２０）にロックするための機構の一部に設けるようにしたことにより、第１の阻止部５５７及び第２の阻止部５７５を全く別体に設ける構成に比べて、部品点数を削減することができる。
【０１９３】
また、端数用通路５９０の入り口から第２の阻止部５７５までの距離を、遊技媒体（パチンコ球）の大きさの複数分に設定したことにより、この間に複数個の遊技媒体（パチンコ球）を保持することができる。これにより、ロック解除時に遊技媒体貸出装置（サンド２０）の端数分払出用開口部（端数用払出口４０）側に残っている遊技媒体（パチンコ球）を、当該端数用通路５９０の入り口（流入口４４１）から第２の阻止部５７５までの間に留めさせることができ、第１の筐体４０５を遊技媒体貸出装置（サンド２０）から取り外した際に、これらの遊技媒体（パチンコ球）が落下することを抑制することができる。
【０１９４】
また本実施の形態における遊技用装置は、前記構成に加えて、第２の筺体２２と、遊技機（パチンコ機１０）に併設され、前記遊技機（パチンコ機１０）において払い出された遊技媒体を前記筺体２２の内部に取り込んで計数する計数部９０と、前記計数部９０により計数された遊技媒体を前記筺体２２の外部に排出する排出部９５と、前記遊技機（パチンコ機１０）から払出し可能な所定数の球数に満たない端数分の遊技媒体を遊技者に払い出す端数払出部（端数貯留部７１）と、前記端数分として払い出すための遊技媒体を前記筺体２２の外部から前記端数払出部（端数貯留部７１）に供給する供給部と、を備え、前記計数部９０と前記端数払出部（端数貯留部７１）とは、互いに分離可能に構成されている前記遊技媒体貸出装置（サンド２０）を備えることを特徴としている。
【０１９５】
この遊技用装置においては、第２の筐体２２の外部から端数用の遊技媒体を取り込むことにより、端数分の遊技媒体が不足することを未然に防止することができる。また、計数部９０と端数払出部（端数貯留部７１）とが分離可能に構成されていることにより、例えば計数部９０だけを取り出してメンテナンスを容易に行うことができる。
【０１９６】
また本実施の形態における遊技用装置は、前記構成に加えて、前記供給部は、前記端数分として払い出すための遊技媒体を前記第２の筺体の外部から導入するための前記第２の筺体に設けられた開口部と、前記開口部を開閉する第１のシャッタと、前記端数分として払い出すための遊技媒体を前記第２の筺体の外部から前記第２の筺体へ導入する導入路の先端に設けられた係合部を前記開口部に装着するための装着機構部と、前記第１のシャッタ及び前記導入路を開閉する第２のシャッタを、前記係合部の前記開口部への装脱に応動して開閉させる開閉機構部と、を備えることを特徴としている。
【０１９７】
この遊技用装置においては、端数分の遊技媒体を外部から供給する導入路８１を装着する動作に応動して、第１及び第２のシャッタ１１４Ｂ、１０４Ｂを開閉動作させることにより、導入路８１が取り外されている場合には、筐体２２の開口部２２Ｆの第１のシャッタ１１４Ｂが閉じられて当該開口部２２Ｆから端数用の遊技媒体がこぼれ落ちることを防止することができると共に、導入路８１の第２のシャッタ１０４Ｂが閉じられて導入路８１の先端から、端数用として供給される遊技媒体がこぼれ落ちることを防止することができる。また、導入路８１を筐体２２に装着した場合には、第１及び第２のシャッタ１１４Ｂ、１１４Ｂが開かれることにより、導入路８１から端数用の遊技媒体を筐体内部の端数払出部（端数貯留部７１）へ供給することができる。
【０１９８】
また本実施の形態における遊技用装置は、上記構成に加えて、前記開閉機構部（プッシュレバー１０５、アーム１０４Ｃ、ガイド突起部８２Ｂ、アーム１１４Ｃ）は、第１機構部（ガイド突起部８２Ｂ、アーム１１４Ｃ）及び第２機構部（プッシュレバー１０５、アーム１０４Ｃ）を備え、前記第２機構部は、前記第２のシャッタ１０４Ｂを有し、第２の付勢手段（ばね）により前記第２のシャッタ１０４Ｂが前記導入路８１を閉じる方向に付勢された第２の回動アーム（アーム１０４Ｃ）と、前記係合部８２の前記開口部２２Ｆへの装着に応じて、前記筺体２２によって押されて移動するプッシュレバー１０５と、を備え、前記プッシュレバー１０５の移動に伴って、前記第２の回動アーム（アーム１０４Ｃ）を前記第２の付勢手段（ばね）の付勢力に抗して回動させ、当該回動動作に応じて、前記第２のシャッタ１０４Ｂを開き、前記第１機構部（ガイド突起部８２Ｂ、アーム１１４Ｃ）は、前記第１のシャッタ１１４Ｂを有し、第１の付勢手段（ばね）により前記第１のシャッタ１１４Ｂが前記開口部２２Ｆを閉じる方向に付勢された第１の回動アーム（アーム１１４Ｃ）と、前記係合部８２に設けられ、前記係合部８２の前記開口部２２Ｆへの装着に応じて、前記第１の回動アーム１１４Ｃを前記第１の付勢手段（ばね）の付勢力に抗して回動させ、当該回動動作に応じて、前記第１のシャッタ１１４Ｂを開くガイド突起部８２Ｂと、を備えることを特徴としている。
【０１９９】
この遊技媒体貸出装置においては、導入路８１の先端に設けられた係合部８２を、筺体側の開口部２２Ｆに装着する操作に応じて、導入路側の第２のシャッタ１０４Ｂと、開口部側の第１のシャッタ１１４Ｂとが開く。このように、係合部８２を装着するといった一回の操作によって、第１及び第２のシャッタを一度に開くことができることにより、各々のシャッタを個別に開く操作が不要となる。
【０２００】
また本実施の形態における遊技用装置は、前記構成に加えて、前記装着状態をロック解除するロック解除操作に伴って、前記遊技媒体貸出装置（サンド２０）側の前記端数分の遊技媒体を払い出すための端数分払出用開口部（端数用払出口４０）を遮蔽し、前記装着状態をロックする前記ロック操作に伴って、前記端数分払出用開口部（端数用払出口４０）を開放する遮蔽部を備えることを特徴としている。
【０２０１】
この遊技用装置においては、ロック解除操作に伴って遊技媒体貸出装置（サンド２０）側の端数分払出用開口部（端数用払出口４０）を遮蔽することにより、第１の筐体４０５を遊技媒体貸出装置（サンド２０）から取り外す際に、遊技媒体貸出装置（サンド２０）側に残っている遊技媒体の落下を防止することができる。
【符号の説明】
【０２０２】
１０  パチンコ機
２０  サンド
２０Ｂ  被係止部
２１  前面部
２２  筺体（第２の筺体）
３１  ＬＥＤ部
３２  カード挿入口
３３  紙幣挿入口
３４  操作ユニット
３５  カメラ部
３６  非接触ＩＣカードリーダライタ
３９  計数用投入口
４０  端数用払出口
６１  紙幣識別装置
６２  情報カードリーダライタ
６６  制御基板
６７  Ｉ／Ｏ基板
６８  インターフェイス
７０  供給部
７１  端数用貯留部
７５  装着機構部
７６  搬送路
８１  導入路
８２  係合部
９０  計数部
９５  排出部
１０４  第２のシャッタ部
１０４Ｂ  第２のシャッタ
１１４  第１のシャッタ部
１１４Ｂ  第１のシャッタ
１３０Ａ、１３０Ｂ  ユニット
２００  通信網
３００  金融サーバ
４００  案内装置
４０１  装着部
４０２  払出皿
４０５  筺体（第１の筺体）
４１０  鍵部
４１４  案内皿
５００  ホールコンピュータ
５５１  回動部材
５５２  係止部
５５７  第１の阻止部
５７５  第２の阻止部
５８０  計数用通路
５９０  端数用通路
６５２  フレーム
６７０、６８０  ロック機構部
【図１】
0005546035.tif 000002
【図２】
0005546035.tif 000003
【図３】
0005546035.tif 000004
【図４】
0005546035.tif 000005
【図５】
0005546035.tif 000006
【図６】
0005546035.tif 000007
【図７】
0005546035.tif 000008
【図８】
0005546035.tif 000009
【図９】
0005546035.tif 000010
【図１０】
0005546035.tif 000011
【図１１】
0005546035.tif 000012
【図１２】
0005546035.tif 000013
【図１３】
0005546035.tif 000014
【図１４】
0005546035.tif 000015
【図１５】
0005546035.tif 000016
【図１６】
0005546035.tif 000017
【図１７】
0005546035.tif 000018
【図１８】
0005546035.tif 000019
【図１９】
0005546035.tif 000020
【図２０】
0005546035.tif 000021
【図２１】
0005546035.tif 000022
【図２２】
0005546035.tif 000023
【図２３】
0005546035.tif 000024
【図２４】
0005546035.tif 000025
【図２５】
0005546035.tif 000026
【図２６】
0005546035.tif 000027
【図２７】
0005546035.tif 000028
【図２８】
0005546035.tif 000029
【図２９】
0005546035.tif 000030
【図３０】
0005546035.tif 000031
【図３１】
0005546035.tif 000032
【図３２】
0005546035.tif 000033
【図３３】
0005546035.tif 000034
【図３４】
0005546035.tif 000035
【図３５】
0005546035.tif 000036
【図３６】
0005546035.tif 000037
【図３７】
0005546035.tif 000038
【図３８】
0005546035.tif 000039
【図３９】
0005546035.tif 000040
【図４０】
0005546035.tif 000041
【図４１】
0005546035.tif 000042
【図４２】
0005546035.tif 000043
【図４３】
0005546035.tif 000044
【図４４】
0005546035.tif 000045
【図４５】
0005546035.tif 000046
【図４６】
0005546035.tif 000047
【図４７】
0005546035.tif 000048